(57)【要約】  ユーザによる複雑な操作を必要とせずに、所望のＤＶ機器を検出し、双方向通信手段を介してＤＶ機器を制御し、ＤＶテープを先頭まで巻き戻してからデータをキャプチャーすることができる、又は、キャプチャーしながらチャプターマークを付けることができるデジタル記録再生装置及びデジタル記録方法を提供する。ワンタッチＤＶキャプチャーボタン（２１）を押下すると、ＩＥＥＥ１３９４Ｉ／Ｆ（７）及び１３９４シリアルバス（６）を介して接続されたＤＶカム（４）を検出し、検出されたＤＶカム（４）の入出力プラグの論理的チャンネルと仮想的接続し、ＤＶカム（４）からのストリームデータを、ＨＤＤ（１１）又はＤＶＤ（１２）の記録フォーマットに変換し、変換されたデータをＨＤＤ（１１）又はＤＶＤ（１２）に記録する。また、ＤＶパケットヘッダー内のタイムコードの不連続点を検出しながら自動的にチャプターマークを付ける。【特許請求の範囲】
【請求項１】
制御信号と情報信号とを混在させて送受信できる通信制御バスによる双方向通信手段と、
前記双方向通信手段を介して接続されたデジタル映像機器を検出するデジタル映像機器検出手段と、
前記検出されたデジタル映像機器の入出力プラグの論理的チャンネルと仮想的接続する仮想的接続手段と、
前記デジタル映像機器からのストリームデータを、使用するランダムアクセス可能な記録媒体の記録フォーマットに変換するストリーム変換手段と、
前記記録媒体に前記フォーマット変換されたデータを記録する記録手段と、
前記記録手段の動作を制御する記録動作制御手段と、
表示手段に表示される操作画面を生成する操作画面生成手段と、
前記操作画面に基づいた操作を入力する操作手段と、
前記検出されたデジタル映像機器の選択画面を前記表示手段に表示する表示制御手段と、
前記選択画面により所望のデジタル映像機器を選択する選択手段と、
前記仮想的接続手段を介して前記選択されたデジタル映像機器の動作状態の把握と制御を行う仮想的デジタル映像機器制御手段と、
を有し、
前記デジタル映像機器検出手段は、２種類のＡＶ／Ｃコマンドを発信し、前記２種類のＡＶ／Ｃコマンドに対するデジタル映像機器からのレスポンスに基づいて、前記通信制御バスに接続されているデジタル映像機器の中から所望のデジタル映像機器を検出する
ことを特徴とするデジタル記録再生装置。
【請求項２】
前記ＤＶ機器からのストリームデータをランダムアクセス可能な記録媒体に録画することを指示する専用録画ボタンをさらに有し、
前記記録動作制御手段が、
前記専用録画ボタンにより録画が指示されたときに、前記仮想的デジタル映像機器制御手段を制御して、ＡＶ／Ｃコマンドを用い、デジタル映像機器が撮影モードか再生モードかを判別する機能を備え、ＤＶテープの無記録部を検出する無記録部検出手段を有する
ことを特徴とする請求項１に記載のデジタル記録再生装置。
【請求項３】
前記専用録画ボタンにより録画が指示されたときに、前記仮想的デジタル映像機器制御手段を制御して、ＡＶ／Ｃコマンドを用い、前記選択されたＤＶ機器のＤＶテープを先頭まで巻き戻させた後に再生を開始させ前記記録手段によるストリームデータの記録を開始させ、テープ終端を検知してＤＶカムとデジタル記録再生装置とを共に、停止させて記録する手段を有し、ＤＶ機器をコントロールする手段を有することを特徴とする請求項１に記載のデジタル記録再生装置。
【請求項４】
前記記録媒体にチャプターマークを記録するチャプターマーク記録手段と、
前記選択されたデジタル映像機器のＤＶパケットヘッダー内にあるタイムコードが不連続になっているポイントを検出するタイムコード不連続点検出手段とをさらに有し、
前記タイムコード不連続点検出手段が検出したポイントに対応する前記記録媒体のアドレスにチャプターマークを記録する
ことを特徴とする請求項１に記載のデジタル記録再生装置。
【請求項５】
前記記録動作制御手段が、
前記仮想的デジタル映像機器制御手段を制御して、前記選択されたデジタル映像機器のＤＶテープの全記録時間を取得する全記録時間取得手段と、
前記記録媒体の記録可能な容量を確認する記憶容量確認手段とを有し、
前記専用録画ボタンにより録画が指示されたときに、前記仮想的デジタル映像機器制御手段を制御して、前記選択されたデジタル映像機器のＤＶテープの全記録時間と前記記録媒体の記録可能な容量とを取得して、前記操作画面表示手段に表示させ、前記操作手段による記録開始操作により記録を開始する
ことを特徴とする請求項１に記載のデジタル記録再生装置。
【請求項６】
前記記録動作制御手段が、
前記ＤＶテープの全記録時間を取得する全記録時間取得手段と、
前記ＤＶテープからの再生時間を取得する再生時間取得手段と、
前記ＤＶテープの再生の経過時間と残り時間を切り替えて画面表示する画面表示切替手段とを有し、
前記専用録画ボタンによる切替操作に基づいて、前記ＤＶテープの経過時間と残り時間を切り替えて画面表示させる
ことを特徴とする１に記載のデジタル記録再生装置。
【請求項７】
前記記録媒体にチャプターマークを記録するチャプターマーク記録手段と、
前記選択されたデジタル映像機器のＤＶテープのデータ情報が記録された日付が更新されているポイント又は記録時間が不連続になっているポイントを検出する不連続点検出手段とをさらに有し、
前記不連続点検出手段が検出したポイントに対応する前記記録媒体のアドレスにチャプターマークを記録する
ことを特徴とする請求項１に記載のデジタル記録再生装置。
【請求項８】
前記記録媒体が、ハードディスク又はデジタル多用途ディスクであることを特徴とする請求項１に記載のデジタル記録再生装置。
【請求項９】
前記通信制御バスが、ＩＥＥＥ１３９４規格の通信制御バスであることを特徴とする請求項１に記載のデジタル記録再生装置。
【請求項１０】
デジタル映像機器からのストリームデータをランダムアクセス可能な記録媒体に録画することを指示する専用録画ボタンが押下されたときに、制御信号と情報信号とを混在させて送受信できる通信制御バスによる双方向通信手段を介して接続されたデジタル映像機器を検出するステップと、
前記検出されたデジタル映像機器の入出力プラグの論理的チャンネルと仮想的接続するステップと、
前記デジタル映像機器からのストリームデータを、使用するランダムアクセス可能な記録媒体の記録フォーマットに変換するステップと、
前記記録媒体に前記フォーマット変換されたデータを記録するステップと
を有することを特徴とするデジタル記録方法。
【請求項１１】
前記専用録画ボタンにより録画が指示されたときに、前記選択されたデジタル映像機器のＤＶテープを先頭まで巻き戻させた後に再生を開始させると共に、前記記録手段による前記ストリームデータの記録を開始させる
ことを特徴とする請求項１０に記載のデジタル記録方法。
【請求項１２】
前記選択されたデジタル映像機器のＤＶテープの全記録時間を取得するステップと、
前記記録媒体の記録可能な容量を確認するステップと、
前記専用録画ボタンにより録画が指示されたときに、前記選択されたデジタル映像機器のＤＶテープの全記録時間と前記記録媒体の記録可能な容量とを取得して、表示手段に表示するステップと、
ユーザによる記録開始操作により、前記記録媒体に前記フォーマット変換されたデータを記録するステップと
をさらに有することを特徴とする請求項１０に記載のデジタル記録方法。
【請求項１３】
前記選択されたデジタル映像機器のＤＶテープの全記録時間を取得するステップと、
前記記録媒体の記録可能な容量を確認するステップと、
前記全記録時間と前記記録可能な容量により前記選択されたデジタル映像機器のＤＶテープの全記録データを前記記録媒体にすべて記録可能か否かを判定するステップと、
前記専用録画ボタンにより録画が指示されたときに、前記判定が全記録可能であるときに、前記選択されたデジタル映像機器のＤＶテープを先頭まで巻き戻した後に再生を開始させる共に、前記ストリームデータの記録を開始させるステップと
をさらに有することを特徴とする請求項１１に記載のデジタル記録方法。
【請求項１４】
前記ＤＶテープの全記録時間を取得するステップと、
前記ＤＶテープからの再生時間を取得するステップと
をさらに有し、
前記専用録画ボタンによる切替操作に基づいて、前記ＤＶテープの経過時間と残り時間を切り替えて画面表示させる
ことを特徴とする請求項１１に記載のデジタル記録方法。
【請求項１５】
前記選択されたデジタル映像機器のＤＶテープのデータ情報が記録された日付が更新されているポイント又は記録時間が不連続になっているポイントを検出するステップと、
前記検出されたポイントに対応する前記記録媒体のアドレスにチャプターマークを記録するステップと
をさらに有することを特徴とする請求項１０に記載のデジタル記録方法。
【請求項１６】
前記選択されたデジタル映像機器のＤＶパケットヘッダー内にあるタイムコードが不連続になっているポイントを検出するステップと、
前記検出したポイントに対応する前記記録媒体のアドレスにチャプターマークを記録するステップと
をさらに有することを特徴とする請求項１０に記載のデジタル記録方法。
【発明の詳細な説明】
【技術分野】
【０００１】
本発明は、制御信号と情報信号とを混在させて伝送する通信制御バスによる双方向通信機能を有し、通信制御バスに接続されたＤＶ（デジタルビデオ）方式の映像機器（ＤＶ機器）を検出し、そのＤＶ機器から出力されたＤＶデータをキャプチャーしてランダムアクセス可能な記録媒体に記録するデジタル記録再生装置及びデジタル記録方法に関するものである。
【背景技術】
【０００２】
近年、映像音声データをＤＶテープに記録するＤＶ機器、例えば、ビデオカメラとＶＴＲとを一体化させたＤＶカム（デジタルビデオカムコーダ）が普及している。ＤＶテープに記録されたデータは、デジタル記録再生装置によってキャプチャーされ、デジタル記録可能な記録媒体、例えば、ＤＶＤ（デジタル多用途ディスク）やＨＤＤ（ハードディスクドライブ）に保存される。【０００３】
一般に、ＤＶテープに記録された映像信号は、ＭＰＥＧエンコードされたものではなく、ＤＶ方式でデータ圧縮されたＤＶ信号である。ここで、ＤＶ方式は、「ＨＤデジタルＶＣＲ協議会」が定めた標準規格である。【０００４】
一方、デジタル記録再生装置が、通信制御バスであるＩＥＥＥ１３９４シリアルバス（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ  １３９４  Ｈｉｇｈ  Ｐｅｒｆｏｒｍａｎｃｅ  Ｓｅｒｉａｌ  Ｂｕｓ）を介して、他の機器からのデジタルデータの記録を行う場合、ＭＰＥＧ−ＴＳ（ＭＰＥＧ  Ｔｒａｎｓｐｏｒｔ  Ｓｔｒｅａｍ）方式の映像圧縮データを取り扱うことが多い。このため、デジタル記録再生装置が、圧縮方式の異なる映像音声データを取り込む際には、信号元のデジタル信号の符号化方式を、記録先のランダムアクセス可能な記録媒体に適合させるようにフォーマット変換することが必要である。【０００５】
例えば、ＩＥＥＥ１３９４シリアルバスを用いたデジタル記録可能なＭＰＥＧ２−ＴＳ記録方式のデジタル記録再生装置は、１３９４シリアルバスのネットワークを介して、複数のデジタル機器に接続可能である。１３９４シリアルバスのネットワークにおいては、ネットワークを構成する機器の接続形態をトポロジーと呼び、１つのバス上に最大６３台までの機器を接続可能である。デジタル記録再生装置は、理論的には、トポロジー上のどの接続機器とも、リアルタイムのデータ伝送である同期データ伝送用のアイソクロナス（Ｉｓｏｃｈｒｏｎｏｕｓ）通信及び通常のアシンクロナス（非同期、Ａｓｙｎｃｈｒｏｎｏｕｓ）通信を行うことができる（例えば、非特許文献１参照）。【０００６】
図２１は、ＩＥＥＥ１３９４シリアルバス１０６によるＤＶ機器２００，３００，４００のネットワーク接続の一例を示すブロック図である。図２１においては、ＩＥＥＥ１３９４対応のデジタル記録再生装置２００が、１３９４シリアルバス１０６によって、信号源となるデジタル放送受信機４００に接続されている。なお、ＩＥＥＥ１３９４規格の接続形態としては、ループ接続、ツリー接続、デイジーチェーン接続、及びスター接続が可能である。以下に、デジタル記録再生装置２００がデジタル放送受信機４００から出力されるＭＰＥＧ−ＴＳを記録する場合を説明する。【０００７】
図２２は、図２１のデジタル記録再生装置２００の構成を概略的に示すブロック図である。図２２に示されるように、デジタル記録再生装置２００は、１３９４シリアルバス１０６によってデジタル放送受信機４００と接続されている。図２２に示されるように、デジタル記録再生装置２００は、トポロジー情報を格納する不揮発性記憶装置２０１と、マイクロコンピュータ（マイコン）２０２と、１３９４インターフェース部２０３と、Ｄ−ＶＨＳ記録再生部２０４と、録画ボタン２０５と、機器選択ボタン２０６と、モード選択ボタン２０７と、記録の際にデジタル記録再生装置２００との仮想的接続を行う機器を表示して、ユーザの操作により機器を選択できるような機器情報表示部２０８とを備えている。【０００８】
図２３は、図２１のデジタル記録再生装置２００のデジタル記録開始時にユーザインターフェースを用いてユーザが行う操作を示すフローチャートである。図２３に示されるように、ユーザは、デジタル放送受信機（図２２の４００）から出力されるＭＰＥＧ−ＴＳのデジタル記録を行うために、デジタル放送受信機が記録対象機器として選択されているかどうかを、機器情報表示部（図２２の２０８）の表示で判断する（ステップＳ２１１）。機器情報表示部においてデジタル放送受信機が選択されていなければ、機器選択ボタン（図２２の２０６）を押下することによって、記録対象機器を変更して（ステップＳ２１３）、処理をステップＳ２１１に戻す。【０００９】
ステップＳ２１１で機器情報表示部（図２２の２０８）においてデジタル放送受信機（図２２の４００）が選択されていれば、ユーザは、記録モードがデジタル記録モードであるか否かを判断する（ステップＳ２１２）。デジタル記録モードであれば、処理はステップＳ２１５に進み、デジタル記録モードでなければ、記録モードボタンによってデジタル記録モードに設定してから、処理はステップＳ２１５に進む。【００１０】
次に、デジタル記録再生装置のマイクロコンピュータ（図２２の２０２）は、ユーザにより録画ボタン（図２２の２０５）が押されたかどうかを判断して、押されていなければ再びステップＳ２１５に戻り、押されていれば記録を開始する（ステップＳ２１６）。【００１１】
また、ＤＶＤ記録再生装置における編集作業の操作手順を簡略化するものとして、編集処理を行う場合に、編集処理と再生処理を交互に行うのではなく、再生処理に編集処理を割り込ませるようにしたものがある（例えば、特許文献１）。編集処理メニューからチャプターマークを付与する処理の例を、図２４のフローチャートと図２５の編集処理動作のフローチャートを用いて、説明する。【００１２】
図２４において、制御部は、モードキーが押下されるのを待ち、モードキーが押下されると（ステップＳ２１ｂ）、どのモードキーが押下されたかを判断する（ステップＳ２２ｂ）。録画キーが押下されたときには、録画モードと判断して録画処理を行う（ステップＳ２３ｂ）。再生キーが押下されたときには、再生モードと判断して再生処理を行う（ステップＳ２４ｂ）と共に、図２５のフローチャートに示される編集処理を行う（ステップＳ２６ｂ）。メニューキーが押下されたときには、選択再生モードと判断して選択処理を行った（ステップＳ２５ｂ）後、再生処理を行う（ステップＳ２４ｂ）と共に編集処理を行う（ステップＳ２６ｂ）。【００１３】
ＩＥＥＥ１３９４プロトコルを用いたＭＰＥＧストリーム伝送のための規格として、ＩＥＣ６１８８３がある。また、ＩＥＥＥ１３９４プロトコルを用いて接続されたオーディオビデオ機器を制御するコマンドの規格として、ＡＶ／Ｃ  Ｄｉｇｉｔａｌ  Ｉｎｔｅｒｆａｃｅ  Ｃｏｍｍａｎｄ  Ｓｅｔ  Ｇｅｎｅｒａｌ  Ｓｐｅｃｉｆｉｃａｔｉｏｎ（一般にＡＶ／Ｃ  Ｇｅｎｅｒａｌと呼ぶ。）というプロトコルが有る。ここでは、ＩＥＥＥ１３９４でハンドシェイク（handshaking）を行なうための基本的なプロトコル（コマンドのやり取りの約束）を規定している。これらのプロトコルを使用する場合、機器はＳｕｂｕｎｉｔと呼ばれるソフトウェア構造を持つことを基本とし、このプロトコルを実装した機器に対してＡＶ／Ｃコマンドで制御を行うことができる。【００１４】
【非特許文献１】高田信司監修、「ＩＥＥＥ１３９４ＡＶ機器への応用」、日刊工業新聞社、２０００年１月２８日発行
【特許文献１】特開２００４−１４７２０２号公報（段落００１６〜００１７、図３、図４）
【発明の開示】
【発明が解決しようとする課題】
【００１５】
以上のように、従来のデジタル記録再生装置においては、図２４及び図２５に示されるように、シリアルバスに接続されている機器の中から所望のＤＶ機器をユーザが手動で選択しなければならなかった。また、従来のデジタル記録再生装置においては、再生処理中においてのみ編集モードを選択でき、編集用のキーによって編集モードが選択されると、再生処理を中断して編集処理（例えば、チャプターマーク付与）モードに移行し、編集処理終了後に、編集処理モードの解除を操作して、再生を再開させなければならなかった。【００１６】
また、従来のデジタル記録再生装置においては、図２４に示されるように、１３９４シリアルバスに接続されたＤＶ機器から圧縮映像データを受信して記録する際に、１３９４シリアルバスの接続機器の表示内容の確認、操作している機器の動作の状態確認が必要となる。また、１３９４シリアルバスに接続された機器が多いほど、ユーザの操作回数や確認回数は増加し、ユーザに誤認・誤操作を生じさせる回数が増し、ユーザが希望する機器に希望通りのデータを記録できない事態が生じ易いという問題があった。【００１７】
また、ＤＶカムで撮影した映像音声データをデジタル記録再生装置内のランダムアクセス可能な記録媒体にすべてキャプチャーする際、ＤＶカム内のＤＶテープを先頭まで巻き戻し、キャプチャー先のランダムアクセス可能な記録媒体の残量チェックを行い、記録モードの確認を行い、ＤＶテープの再生開始のボタン操作、キャプチャー側の記録開始のボタン操作、及びこれらの開始を同期させる操作を行い、キャプチャー元のＤＶテープ情報のＤＶパケットヘッダー内のタイムコードの不連続点と記録後のキャプチャーマークの位置が同じになるように、映像音声データのキャプチャー後にキャプチャーマークの付与を、リストを見ながらユーザが行わなければならないという問題があった。【００１８】
そこで、本発明は、上記したような従来技術の課題を解決するためになされたものであり、その目的は、ユーザによる複雑な操作を必要とせず、デジタル映像機器からデータをキャプチャーすることができるデジタル記録再生装置及びデジタル記録方法を提供することである。【００１９】
また、本発明の他の目的は、ユーザによる複雑な操作を必要とせず、デジタル映像機器からストリームをキャプチャーしながらチャプターマークを付けることができるデジタル記録再生装置及びデジタル記録方法を提供することである。
【課題を解決するための手段】
【００２０】
本発明のデジタル記録再生装置は、制御信号と情報信号とを混在させて送受信できる通信制御バスによる双方向通信手段と、前記双方向通信手段を介して接続されたデジタル映像機器を検出するデジタル映像機器検出手段と、前記検出されたデジタル映像機器の入出力プラグの論理的チャンネルと仮想的接続する仮想的接続手段と、前記デジタル映像機器からのストリームデータを、使用するランダムアクセス可能な記録媒体の記録フォーマットに変換するストリーム変換手段と、前記記録媒体に前記フォーマット変換されたデータを記録する記録手段と、前記記録手段の動作を制御する記録動作制御手段と、表示手段に表示される操作画面を生成する操作画面生成手段と、前記操作画面に基づいた操作を入力する操作手段と、前記検出されたデジタル映像機器の選択画面を前記表示手段に表示する表示制御手段と、前記選択画面により所望のデジタル映像機器を選択する選択手段と、前記仮想的接続手段を介して前記選択されたデジタル映像機器の動作状態の把握と制御を行う仮想的デジタル映像機器制御手段とを有し、前記デジタル映像機器検出手段は、２種類のＡＶ／Ｃコマンドを発信し、前記２種類のＡＶ／Ｃコマンドに対するデジタル映像機器からのレスポンスに基づいて、前記通信制御バスに接続されているデジタル映像機器の中から所望のデジタル映像機器を検出することを特徴としている。【００２１】
また、本発明のデジタル記録方法は、デジタル映像機器からのストリームデータをランダムアクセス可能な記録媒体に記録する録画を指示する専用録画ボタンが押下されたときに、制御信号と情報信号とを混在させて送受信できる通信制御バスによる双方向通信手段を介して接続されたデジタル映像機器を検出するステップと、前記検出されたデジタル映像機器の入出力プラグの論理的チャンネルと仮想的接続するステップと、前記デジタル映像機器からのストリームデータを、使用するランダムアクセス可能な記録媒体の記録フォーマットに変換するステップと、前記記録媒体に前記フォーマット変換されたデータを記録するステップとを有することを特徴としている。
【発明の効果】
【００２２】
本発明によれば、ユーザがデジタル記録再生装置の所定の操作を１回行うだけで、自動的に対象となるデジタル映像機器を選択し、デジタル映像機器の映像音声データが存在する部分からの再生開始と同期を取ってデジタル記録再生装置における記録を開始し、デジタル記録再生装置における記録媒体にＤＶテープの先頭から終端まですべての映像音声データを記録することができるという効果がある。【００２３】
また、ユーザによる記録開始のタイミング合わせのための複雑な操作（例えば、機器選択表示を確認ながらの機器選択、記録モードを確認しながら設定する操作、ＤＶテープを先頭まで巻き戻すための操作、ＤＶテープの映像音声データの存在する部分を探してそこから再生開始させるための操作、デジタル記録再生装置の記録ボタンを押下する操作）を必要とせずに、デジタル映像機器からすべてのデータをキャプチャーできるという効果がある。
【図面の簡単な説明】
【００２４】
【図１】本発明の実施の形態１乃至９に係るデジタル記録再生装置を含むＤＶストリームキャプチャーシステムの構成を概略的に示すブロック図である。
【図２】本発明の実施の形態１乃至９に係るデジタル記録再生装置の構成を概略的に示すブロック図である。
【図３】本発明の実施の形態１乃至９において使用される、アイソクロナス通信とアシンクロナス通信を混在させた通信方式を説明するための図である。
【図４】本発明の実施の形態１に係るデジタル記録再生装置のワンタッチＤＶキャプチャーボタン押下時のＧＵＩ画面表示を示す図である。
【図５】本発明の実施の形態１に係るデジタル記録再生装置が所望のＤＶ機器を検索しＤＶテープの終端や無記録部を検出してＤＶストリームキャプチャーを行う動作を示すフローチャートである。
【図６】本発明の実施の形態１に係るデジタル記録再生装置がＤＶカムの検出を行う動作を示すフローチャートであり、図５のステップＳ３の動作を示す。
【図７】本発明の実施の形態２に係るデジタル記録再生装置がＤＶテープの無記録部の検出を行う動作を示すフローチャートであり、図５のステップＳ９ａの動作を示す。
【図８】本発明の実施の形態３に係るデジタル記録再生装置が所望のＤＶ機器を検索してＤＶテープを先頭まで巻き戻した後にＤＶストリームキャプチャーを行う動作を示すフローチャートである。
【図９】本発明の実施の形態３に係るデジタル記録再生装置の動作を示すフローチャートであり、図８のステップＳ７ａを詳細に説明した図である。
【図１０】本発明の実施の形態３及び４に係るデジタル記録再生装置のワンタッチダビングの動作を示す状態遷移図である。
【図１１】本発明の実施の形態４に係るデジタル記録再生装置のチャプターマーク付与動作を示すフローチャートである。
【図１２】本発明の実施の形態４に係るデジタル記録再生装置のＤＶストリームキャプチャーの動作を示すフローチャートである。
【図１３】（ａ）乃至（ｄ）は、本発明の実施の形態４に係るデジタル記録再生装置のＧＵＩ画面表示を示す図である。
【図１４】本発明の実施の形態５に係るデジタル記録再生装置のＤＶストリームキャプチャーの動作を示すフローチャート（その１）である。
【図１５】本発明の実施の形態５に係るデジタル記録再生装置のＤＶストリームキャプチャーの動作を示すフローチャート（その２）である。
【図１６】（ａ）乃至（ｄ）は、本発明の実施の形態５に係るデジタル記録再生装置のＧＵＩ画面表示を示す図である。
【図１７】（ａ）乃至（ｆ）は、本発明の実施の形態５に係るデジタル記録再生装置のＧＵＩ画面表示を示す図である。
【図１８】（ａ）乃至（ｃ）は、本発明の実施の形態５に係るデジタル記録再生装置のＧＵＩ画面表示を示す図である。
【図１９】本発明の実施の形態７に係るデジタル記録再生装置のチャプターマーク付与動作を示すフローチャートである。
【図２０】本発明の実施の形態８に係るデジタル記録再生装置のＤＶテープの経過時間及び残り時間を画面表示する動作を示すフローチャートである。
【図２１】ＩＥＥＥ１３９４シリアルバスを用いた従来のＤＶキャプチャーシステムの構成を概略的に示すブロック図である。
【図２２】従来のデジタル記録再生装置の構成を概略的に示すブロック図である。
【図２３】従来のデジタル記録再生装置の記録開始時の動作を示すフローチャートである。
【図２４】従来のデジタル記録再生装置の記録開始時の動作を示すフローチャートである。
【図２５】従来のデジタル記録再生装置の編集処理動作を示すフローチャートである。
【符号の説明】
【００２５】
１  デジタル記録再生装置、  ２  デジタルビデオデッキ（ＤＶＨＳ）、  ３  ＳＴＢ、  ４  ＤＶカム（ＤＶ機器）、  ５  モニタＴＶ、  ６  ＩＥＥＥ１３９４シリアルバス（１ＥＥＥ１３９４ケーブル）、  ７  ＩＥＥＥ１３９４Ｉ／Ｆ、  ８  ＩＥＥＥ１３９４ＰＨＹ、  ９  ＩＥＥＥ１３９４Ｌｉｎｋ、  １０  ＨＤＤコントローラ、  １０ａ  ＨＤＤ用バッファメモリ、  １１  ＨＤＤ、  １２  ＤＶＤ、  １３  ＤＶＤコントローラ、  １３ａ  ＤＶＤ用バッファメモリ、  １４  ストリーム変換切替部、  １５  映像音声復号部、  １６  内部制御バス、  １７  ＣＰＵ、  １８  ＲＯＭ、  １９  ＲＡＭ、  ２０  ユーザインターフェース、  ２１  ワンタッチＤＶキャプチャーボタン、  ２５  制御部、  ３０  ＤＶストリームキャプチャー画面、  ３１  ＤＶストリームキャプチャー情報、  ３２  ＤＶカウンタ、  ５３  表示制御回路、  ５４  ＧＵＩ生成回路、  ５５  表示切替ボタン、  １００  ＤＶストリームキャプチャーシステム。
【発明を実施するための最良の形態】
【００２６】
実施の形態１．
図１は、本発明の実施の形態１に係るデジタル記録再生装置１を含むＤＶストリームキャプチャーシステム１００の構成を概略的に示すブロック図である。図１に示されるように、ＤＶストリームキャプチャーシステム１００は、ＩＥＥＥ１３９４規格に準拠したシリアルバス（１３９４シリアルバス）による通信機能を有する複数台のデジタル映像機器（１３９４対応機器）１〜４を、１３９４シリアルバス（１３９４ケーブル）６で接続することによって構成されている。ここで、１３９４対応機器１は、ランダムアクセス可能なデジタル記録再生装置であり、１３９４対応機器２は、ＤＶＨＳ（データ・ビデオホームシステム）方式のビデオテープレコーダであり、１３９４対応機器３は、ＳＴＢ（セットトップボックス）であり、１３９４対応機器４は、ＤＶカム（デジタルビデオカムコーダ）である。また、デジタル記録再生装置１にモニタテレビジョン（モニタＴＶ）５を接続しておくことで、１３９４シリアルバス６を介して、ＤＶカム４のＤＶテープ操作キーの表示、及び、そのキーによるデジタル記録再生装置１の動作状態の表示をすることができる。なお、モニタＴＶ５は、デジタル記録再生装置１に接続する場合には、ＩＥＥＥ１３９４規格に非対応な機器とすることもできる。また、１３９４シリアルバス６は、１３９４対応機器１〜４を、スター状又はツリー状に接続する。また、１つのバスには、最大で６３台の１３９４対応機器が接続できる。【００２７】
図２は、図１のデジタル記録再生装置１の構成を概略的に示すブロック図である。図２には、デジタル記録再生装置１とＤＶカム４とが、制御信号と情報信号とを混在させて伝送できる通信制御バスである１３９４シリアルバス６を介して接続されている例が示されている。【００２８】
図２に示されるように、実施の形態１に係るデジタル記録再生装置１は、ＩＥＥＥ１３９４規格に準拠するインターフェース（１３９４Ｉ／Ｆ）７と、ＩＥＥＥ１３９４規格に準拠する物理層（１３９４ＰＨＹ）８と、ＩＥＥＥ１３９４規格に準拠するデータリンク層（１３９４Ｌｉｎｋ）９と、ＨＤＤコントローラ１０と、ＨＤＤ１１と、ＤＶＤ１４の記録再生を制御するＤＶＤコントローラ１３とを有している。また、デジタル記録再生装置１は、ストリーム変換切替部１４と、映像音声復号部１５と、内部制御バス１６と、ＣＰＵ１７と、ＲＯＭ１８と、ＲＡＭ１９と、ユーザインターフェース２０と、表示制御回路５３と、ＧＵＩ生成回路５４とを有している。なお、ＣＰＵ１７、ＲＯＭ１８、及びＲＡＭ１９は、デジタル記録再生装置１全体の動作を制御するための制御部２５を構成している。【００２９】
１３９４Ｉ／Ｆ７、１３９４ＰＨＹ８、及び１３９４Ｌｉｎｋ９は、通信制御バスである１３９４シリアルバス６を介して接続されたＤＶカム４の出力プラグの論理的チャンネルへの仮想的接続手段と、通信制御バスである１３９４シリアルバス６上のデジタル記録再生装置１の入力プラグの論理的チャンネルへの仮想的接続手段とを備えている。また、１３９４Ｉ／Ｆ７、１３９４ＰＨＹ８、及び１３９４Ｌｉｎｋ９は、通信制御バスを介して接続された種々の機器の中からＤＶ機器（実施の形態１においては、ＤＶテープ機器）を検出する検出手段を備えている。【００３０】
１３９４Ｉ／Ｆ７、１３９４ＰＨＹ８、１３９４Ｌｉｎｋ９、及びＣＰＵ１７は、ターゲットのＤＶ機器が使用可能かどうかの状況把握手段を備えている。【００３１】
また、ＤＶ機器内のＤＶテープに記録されている情報信号をデジタル記録再生装置１のランダムアクセス可能な記録媒体に記録する手段は、ストリーム変換切替部１４、ＨＤＤコントローラ１０、ＨＤＤ１１、ＤＶＤコントローラ１３、及びＤＶＤ１２により構成されている。記録方式の設定情報、情報信号の記録開始・記録停止情報は、制御部２５からの制御信号に基づいて、ランダムアクセス可能な記録媒体に記録される。【００３２】
また、ＤＶ機器のＤＶテープ再生開始及び停止等の制御は、コントローラ側であるデジタル記録再生機器１の制御部２５から出力される制御信号により実行される。制御部２５からの制御信号は、ＩＥＥＥ１３９４規格に準拠したプロトコル（１３９４プロトコル）に変換され、１３９４Ｌｉｎｋ９、１３９４ＰＨＹ８、１３９４Ｉ／Ｆ７、及び１３９４シリアルバス６を介してＤＶカム４に送られる。ＤＶカム４は、ＧＵＩＤ（Ｇｌｏｂａｌ  Ｕｎｉｑｕｅ  Ｉｄｅｎｔｉｆｉｅｒ）、機器の形式、ノードＩＤ、機器名等のトポロジー情報をデジタル記録再生機器１に送信する。デジタル記録再生機器１は、トポロジー情報をモニタ表示し、ユーザはモニタ表示を確認しながらターゲットＤＶ機器を選択する。【００３３】
以下に、デジタル記録再生機器１が、選択された１台のＤＶ機器（ターゲットＤＶ機器）４を遠隔操作して、ＤＶストリームキャプチャーを行う動作について説明する。【００３４】
先ず、ターゲットＤＶ機器から１３９４シリアルバス６を通してデジタル記録再生機器１にＤＶ映像データ（ＤＶストリーム）が入力される。入力されたＤＶ映像データは、１３９４Ｉ／Ｆ７、１３９４ＰＨＹ８、及び１３９４Ｌｉｎｋ９を介してストリーム変換切替部１４に入力される。ストリーム変換切替部１４は、入力されたＤＶ映像データをＨＤＤ１１に記録する場合には、ＤＶ映像データに対しＨＤＤ１１に適合したフォーマットへの変換処理を施してＨＤＤコントローラ１０に変換されたデータを送り、ＤＶＤ１２に記録する場合には、ＤＶ映像データに対しＤＶＤ１２に適合したフォーマットへの変換処理を施してＤＶＤコントローラ１３に変換されたデータを送る。【００３５】
ＨＤＤ１１へのデータ記録時には、ＨＤＤコントローラ１０内のメモリ１０ａに、ＨＤＤ１１のどの位置に何が記録されたかを示すアドレス情報を記録しておき、ＨＤＤ１１からのデータ読み出し時に、メモリ１０ａ内のアドレス情報及びファイルシステムに従い読み出しが行われる。【００３６】
ＤＶＤフォーマットに変換されたプログラムストリーム（ＰＳ）データは、ＤＶＤコントローラ１３内のファイルシステムにて、ＣＰＵ１７の制御のもとＤＶＤ１２に記録される。記録時に、ＤＶＤコントローラ１３内のメモリ１３ａに、ＤＶＤ１２のどの位置に何が記録されたかを示すアドレス情報を記録しておき、ＤＶＤ１２からのデータ読み出し時に、メモリ１３ａ内のアドレス情報及びファイルシステムに従い読み出しが行われる。【００３７】
ＨＤＤ１１から読み出されたＴＳデータ又はＤＶＤ１２から読み出されたＰＳデータは、映像音声復号部１５内において、それぞれのフォーマットに合ったＭＰＥＧデコーダによりデコードされ、制御部２５からの制御信号に応じて動作する表示制御回路５３によって映像信号に変換され、モニタＴＶ（図１の符号５）に出力され、モニタＴＶの画面に表示される。なお、図２には示されていないが、映像音声復号部１５から出力された音声信号は、音声出力回路（図示しない）から出力される。【００３８】
デジタル記録再生装置１は、１３９４シリアルバス６を介してＤＶカム４を自動検索し、デジタル記録再生装置１にある記録専用ボタン（「ワンタッチＤＶキャプチャーボタン」とも呼ぶ。）２１が押下されることにより、１３９４接続されたＤＶカム４内の記録済みＤＶテープ情報のすべてをＤＶストリームキャプチャーする一連の操作を自動で行う機能を搭載している。【００３９】
ＤＶストリームキャプチャーシステム１００における信号の伝送は、図３に示すように、所定の通信サイクル（例えば、１２５μｓｅｃ）毎に、時分割多重によって行われる。この信号の伝送は、サイクルマスターと呼ばれる機器が、通信サイクルの開始時であることを示すサイクルスタートパケット（ＣＳＰ）を、１３９４シリアルバス６上へ送出することにより開始される。なお、サイクルマスターは、各機器を１３９４シリアルバス６のケーブルで接続したときに、ＩＥＥＥ１３９４規格において規定する手順により自動的に決定される。【００４０】
図３に示されるように、１通信サイクル中における通信の形態は、ビデオ信号やオーディオ信号などの情報信号をアイソクロナス（Ｉｓｏｃｈｒｏｎｏｕｓ）に伝送するアイソクロナス通信と、接続制御コマンド等の制御信号をアシンクロナス（Ａｓｙｎｃｈｒｏｎｏｕｓ（非同期））に伝送するアシンクロナス通信の２種類である。そして、ＩｓｏｃｈｒｏｎｏｕｓパケットがＡｓｙｎｃｈｒｏｎｏｕｓパケットより先に伝送される。Ｉｓｏｃｈｒｏｎｏｕｓパケットそれぞれに、チャンネル番号ＣＨ１，ＣＨ２，ＣＨ３，・・・，ＣＨｎを付けることにより、複数のＩｓｏｃｈｒｏｎｏｕｓデータを区別することができる。Ｉｓｏｃｈｒｏｎｏｕｓパケットの送信が終了した後、次のサイクルスタートパケットまでの期間がＡｓｙｎｃｈｒｏｎｏｕｓパケット（パケットＰ（Ａ），Ｐ（Ｂ）及びアクノレッジパケットａｋ）の伝送に使用される。【００４１】
ＤＶストリームキャプチャーシステム１００においては、ＩＥＥＥ１３９４シリアルバス６を介して、デジタル記録再生装置１からＤＶカム４をコントロールする構成としたことにより、以下のことが可能になる。まず、１３９４シリアルバス６は双方向バスであるので、デジタル記録再生装置１のユーザは、ＤＶカム４、及び、１３９４シリアルバス６に接続された他の１３９４対応機器の状態を知ることができる。また、１３９４シリアルバス６上を映像データ及び音声データが流れるので、デジタル記録再生装置１内にＤＶカム４のデータを蓄積することができる。逆に、デジタル記録再生装置１に蓄積している映像データ及び音声データを、ＤＶカム４においてＤＶテープにコピーすることもできる。さらに、デジタル記録再生装置１は、１３９４対応機器の１３９４シリアルバス（ケーブル）の抜き差しの状態を知ることができる。【００４２】
また、ＤＶストリームキャプチャーシステム１００において、ランダムアクセス可能なデジタル記録再生装置１は、システムコントローラとして機能できる。ＤＶストリームキャプチャーシステム１００において、デジタル記録再生装置１がＤＶカム４のコントローラとして機能する場合には、ワンタッチＤＶキャプチャーボタン２１を押下すると、図４に示すようなＤＶストリームキャプチャー情報３１を含むＧＵＩ画面３０がモニタＴＶ５に表示され、ＤＶストリームキャプチャーが開始される。なお、図４は、ＤＶカム４からのＤＶストリームをキャプチャーしてＤＶＤ１２に記録する場合の画面表示を示したが、ＨＤＤに記録するときには、図４における「ＤＶＤ」の表示が「ＨＤＤ」になる。また、ＤＶカウンタ部３２は、ＤＶカム４におけるＤＶテープ再生開始からの経過時間を示している。さらに、ＤＶストリームキャプチャー情報３１には、接続されているＤＶカム４の機種名、ＤＶカムにセットされている記録済みＤＶテープの時間、ＤＶストリームキャプチャー先のデバイス、及びそのデバイスの記録時間残量が含まれる。【００４３】
ＤＶストリームキャプチャーシステム１００において、デジタル記録再生装置１は、ＧＵＩ画面３０をモニタＴＶ５に表示させて、ＤＶカム４を次のように制御する。【００４４】
デジタル記録再生装置１は、ワンタッチＤＶキャプチャーボタン２１が押下されると、１３９４シリアルバス６に接続されているＤＶカム４をトポロジー情報として登録し、図４に示されるように、キャプチャー情報３１の表示枠内に表示する。ＤＶストリームキャプチャー情報３１に表示されるＤＶカム４の製造会社名及び機種名等は、ＤＶ対応機器のＣｏｎｆｉｇ．ＲＯＭ（コンフィギュレーションロム）空間から読み出されて、モニタＴＶ５に表示される。また、ＤＶテープの有無、カセットメモリの有無、カセットメモリが搭載されている場合は、そこから読み取ることができたテープの記録時間も同時に表示される。【００４５】
デジタル記録再生装置１は、ＤＶ機器であるＤＶカム４が接続されると、図５のフローチャートに示す手順に従って動作する。図５に示すフローチャートを用いて、１３９４シリアルバス６によるデジタル記録開始の動作を説明する。【００４６】
図５において、ステップＳ１〜Ｓ３は、１３９４シリアルバス６を介して接続されたＤＶ機器の出力プラグの論理的チャンネルへの仮想的接続手段による処理である。ステップＳ３で１３９４シリアルバスを介して接続された種々の機器の中からＤＶテープ機器としてのＤＶカムを検出する。【００４７】
ステップＳ４〜Ｓ１０は、ＤＶカム４が使用可能かどうかの状況把握手段による処理と、ＤＶテープ内の情報信号をデジタル記録再生装置１のランダムアクセス可能な記録媒体に記録する手段による処理と、記録方式の設定手段による処理と、情報信号の記録開始手段による処理と、記録停止手段による処理を示している。以下、各処理ステップの動作を説明する。【００４８】
ステップＳ１において、ＤＶカム４を１３９４シリアルバス６に接続すると、１３９４シリアルバス６に接続されている機器の問い合わせを開始する。【００４９】
次のステップＳ２では、１３９４シリアルバス６のネットワーク内の、論理的なチャンネルＸと帯域Ｙ（Ｘ，Ｙは整数）のネットワークリソースを、ＩＲＭ（Ｉｓｏｃｈｒｏｎｏｕｓ  Ｒｅｓｏｕｒｃｅ  Ｍａｎａｇｅｒ）から取得する。ＩＲＭとは、これらチャンネルや帯域などのリソースを管理する能力のあるネットワーク上で動作する機器のことである。また、チャンネルは、１台の送信機器から１台以上の受信機器へＭＰＥＧ―ＴＳパケットなどのＩｓｏｃｈｒｏｎｏｕｓデータを流す論理的な道（ｐａｔｈ）を示し、ＣＳＲアドレス空間のＣＨＡＮＮＥＬＳ＿ＡＶＡＩＬＡＢＬＥレジスタ（ネットワーク上のチャンネルの使用状況が記述されているレジスタ）を設定することによって取得できる。また、帯域は、伝送速度に比例したＩｓｏｃｈｒｏｎｏｕｓ通信の帯域量のことを示し、ＢＡＮＤＷＩＤＴＨ＿ＡＶＩＬＡＢＬＥレジスタ（ネットワーク上に残っている帯域量が記述されているレジスタ）を書き換えることによって取得できる。【００５０】
次のステップＳ３では、ＤＶカム４の検索を行う。ＤＶカム４は、ブロードキャストコネクション（通信相手のプラグを指定しないコネクション）のプラグを持ち、ＤＶカム４は、カメラサブユニットと、テープレコーダ／プレーヤサブユニットとを持つ。このことから、ＤＶカム４の検索は、１３９４シリアルバスのＡＳＹＮＣコマンドを使ってｏＰＣＲ（Ｏｕｔｐｕｔ  Ｐｌｕｇ  Ｃｏｎｔｒｏｌ  Ｒｅｇｉｓｔｅｒ）の読み取りを行い、１３９４コネクションの１つであるブロードキャストコネクションのプラグを持つ機器を検索することにより実行される。【００５１】
検索方法は、１３９４シリアルバスのＡＳＹＮＣコマンドのＡＶ／Ｃ（Ａｕｄｉｏ  Ｖｉｄｅｏ  Ｃｏｎｔｒｏｌ）コマンドのやり取りで行われる。ＡＶ／Ｃコマンドは、ＩＥＥＥ１３９４方式で接続された機器をリモート制御するために規定されたコマンドである。このＡＶ／Ｃコマンドには、コントロールコマンド、更にステータスコマンドなどアプリケーションから接続機器を管理するために利用しやすいコマンドがある。【００５２】
また、ＤＶＣＲ（Ｄｉｇｉｔａｌ  Ｖｉｄｅｏ  Ｃａｓｓｅｔｔｅ  Ｒｅｃｏｄｅｒ）の規格においてはテープ上のビデオ・オーディオ信号のデータは８０バイトのＤＩＦ（Ｄｉｇｉｔａｌ  ＩｎｔｅｒＦａｃｅ）  ｂｌｏｃｋの並びとして伝送することになっており、走査線５２５本６０フィールド（以下「ＳＤ５２５−６０」とも記す。）で１０ＤＩＦとなり、これを１ビデオフレームとしている。Ｉｓｏｃｈｒｏｎｏｕｓ通信では、１２５μｓ毎に１パケット伝送するので、１パケットあたりのＤＩＦ  ｂｌｏｃｋサイズを計算することによりシグナルモードを認識できる。デジタル記録再生装置１が、ＡＶ／Ｃコマンドを発行し、検索Ｓｕｂｕｎｉｔ  ＩＮＦＯ（サブユニットインフォメーション）でテープとカメラの両ユニットを持っているというレスポンスを受信することと、Ｏｕｔｐｕｔ  Ｓｉｇｎａｌ  Ｍｏｄｅ（アウトプットシグナルモード）でＳＤ（Ｓｔａｎｄａｒｄ  Ｄｉｆｉｎｉｔｉｏｎ）−ＮＴＳＣ５２５であるとＣＰＵ回路２５にレスポンスを返すことにより、１３９４接続された機器の中からＤＶ機器を検索する。【００５３】
次のステップＳ４では、ステップＳ３で検索したＤＶカム４に対してデジタル記録再生装置１から１３９４コネクションの１つであるＰｏｉｎｔ−ｔｏ−Ｐｏｉｎｔコネクションを行う。このＰｏｉｎｔ−ｔｏ−Ｐｏｉｎｔコネクションは、１３９４シリアルバスのＡＳＹＮＣコマンドを使ってコントローラとなるデジタル記録再生装置１がＤＶカム４のストリームをキャプチャーする時に機器間の接続を確保するために行う。【００５４】
ステップＳ４において、自己機器の入力プラグ（ｉＰＣＲ）を確保したチャンネルＸは、ブロードキャストチャンネルである６３ｃｈに接続する。この処理により、記録対象機器であるＤＶカムの出力プラグと自己機器であるデジタル記録再生装置１の入力プラグがチャンネル（６３ｃｈ）に接続され、記録対象機器からのＤＶパケットを受信する準備が完了する。【００５５】
次のステップＳ５では、ＤＶカム４のノードユニークＩＤの問い合わせを行う。このノードユニークＩＤの問い合わせは、１３９４シリアルバスのＡＳＹＮＣコマンドを使ってＣｏｎｆｉｇ．ＲＯＭの読み取りによって行われる。【００５６】
次のステップＳ５では、トポロジー情報（ＧＵＩＤだけでなく、同時に機器の形式、機器名等）を獲得し、獲得したトポロジー情報をモニタ表示し、ユーザが選択したターゲットＤＶ機器を検出する。この情報は、ＤＶキャプチャー情報３１のＤＶカム４の製造会社名、機種名の表示情報であり、ノードユニーク番号から読み取り表示する。【００５７】
次のステップＳ６では、ＤＶカム４の状態（例えば、再生モードか撮影モードか）を確認する。ＤＶカム４が再生モード、又は、ＤＶテープ巻き戻し中であれば、次のステップ７に進む。それ以外であれば、警告ダイアログを表示してユーザに知らせ、ワンタッチＤＶキャプチャーボタン押下の前の状態まで戻る。【００５８】
次のステップＳ７では、選択されたキャプチャー先であるＨＤＤ又はＤＶＤが作動中か否か、ＤＶストリームキャプチャーのための記録が可能な状態かどうかを確認する。【００５９】
次のステップＳ８では、録画モードの設定を自動的にＳＰモードに設定する。【００６０】
次のステップＳ９では、１３９４シリアルバス６を介して入力されたＤＶパケットのデジタル記録を開始する。確実にＤＶストリームキャプチャーを行うために、ＤＶの信号検出とランダムアクセス可能な記録媒体のへの録画開始を同期させる。【００６１】
ステップＳ１０では、１３９４シリアルバス６を介して入力されたＤＶテープ終了をＡＶ／Ｃ  Ｔｒａｎｓｐｏｒｔ＿ｓｔａｔｕｓ（ＡＶ／Ｃトランスポートステータス）の検出、又は、デコード中にフラグ検出し、これをＣＰＵ１７又は１３９４制御をつかさどる１３９４Ｌｉｎｋ８が検知し、ＤＶ機器の再生を停止させるコマンドを送信すると共に、デジタル記録再生装置１内のストリーム変換切替部１４、コントローラ１０，１３を介してランダムアクセス可能な記録可能な記録媒体への記録を停止させる。【００６２】
ステップＳ９ａにおいてＤＶテープにデータ記録がない無記録を連続して１分以上検出したとき、又は、ＤＶテープの終端を検出したとき、ＤＶカム４は、コントローラであるデジタル記録再生装置に対して１３９４シリアルバスを介してコマンドを送信し、ステップＳ１０において記録を停止する。【００６３】
図６は、図５のステップＳ３の詳細を示すＤＶカム判別シーケンスのフローチャートである。方法は、２つのＡＶ／Ｃコマンド（ＡＶ／Ｃ  ＧｅｎｅｒａｌのＳｕｂｕｎｉｔ  ＩｎｆｏコマンドとＯｕｔｐｕｔ  Ｓｉｇｎａｌ  Ｍｏｄｅ  Ｓｔａｔｕｓコマンド）の応答値によって判別する。図６に示されるように、まず、デジタル記録再生装置１は、ＡＶ／Ｃ  ＧｅｎｅｒａｌのＳｕｂｕｎｉｔ  Ｉｎｆｏコマンドを対象の機器に対して発行する機能Ｓ３０１を実行する。デジタル記録再生装置１は、その相手機器からのレスポンスデータのうちＲｅｓｐｏｎｓｅ  Ｃｏｄｅ（レスポンスコード）がＡｃｃｅｐｔ（アクセプト）、かつレスポンスがＴａｐｅ  Ｒｅｃｏｒｄｅｒ／Ｐｌａｙｅｒ  Ｓｕｂｕｎｉｔ（テープレコーダ／プレーヤサブユニット）とＣａｍｅｒａ  Ｓｕｂｕｎｉｔ（カメラサブユニット）を持っているかどうかを判断する機能Ｓ３０２を実行する。デジタル記録再生装置１は、Ｓ３０２において、レスポンスデータが判断条件に合致しない場合にはＤＶカム機能を有していないので、上位へＤＶカムではないという情報を返す機能Ｓ３０６を実行する。デジタル記録再生装置１は、Ｓ３０２において、レスポンスデータが判断条件に合致する場合には、ＡＶ／Ｃ  Ｔａｐｅ  Ｒｅｃｏｒｄｅｒ／Ｐｌａｙｅｒ  ＳｕｂｕｎｉｔのＯｕｔｐｕｔ  Ｓｉｇｎａｌ  Ｍｏｄｅ  Ｓｔａｔｕｓコマンドを対象の機器に対して発行する機能Ｓ３０３を実行する。デジタル記録再生装置１は、Ｓ３０４において、発行したコマンドの相手機器からのレスポンスデータのうちＲｅｓｐｏｎｓｅ  ＣｏｄｅがＡｃｃｅｐｔ、かつレスポンスがＳＤ５２５−６０であれば、上位へＤＶカム機能を有することを通知する機能Ｓ３０５を実行し、そうでない場合はＤＶカムではないということを通知する機能Ｓ３０６を実行する。【００６４】
実施の形態２．
図７は、図５のステップＳ９ａにおける無記録部の検出シーケンスを詳細に示すフローチャートである。デジタル記録再生装置１は、ＤＶテープにデータ記録がない無記録部の検出は、図７で示したシーケンスで検出する。デジタル記録再生装置１は、ステップＳ５０１においては、ＤＶストリームを後段に伝送するのに適したフォーマット、例えば、Ｒｅｃ６５６にデコードしているかどうかを示すフラグやレジスタ値を検出し、ＤＶカムがデコード中か否かを判断する。ステップＳ５０１においてデコード中と判断した場合は、ステップＳ５０２へ進み、デコード中ではないと判断した場合は、ステップＳ５０６へ進む。デジタル記録再生装置１は、ステップＳ５０２においては、ＡＶ／ＣコマンドのＣｏｎｎｅｃｔ  ＡＶコマンドに対する、ＤＶカムのレスポンス値によって、現在ＤＶカムの状態が撮影モードか再生モードかを判断する。デジタル記録再生装置１は、ＤＶカムが撮影モードである場合、ＤＶテープにデータ記録がある有記録部と判断し（ステップＳ５０３）、無記録用のカウンタをリセットする（ステップＳ５０４）。【００６５】
ステップＳ５０２において、ＡＶ／ＣコマンドのＣｏｎｎｅｃｔ  ＡＶコマンドに対する、ＤＶカムのレスポンス値によって、現在ＤＶカムの状態が再生モードであると判断した場合には、処理は、ステップＳ５０５に進む。タイムコードはパケットヘッダテーブルに規定されており、ＤＶストリームヘッダ内に格納され、伝送されてくる。タイムコードが無効の時は、時刻の「時（ｈｏｕｒ）」とフレームの値が‘０ｘＦＦ’か‘０ｘ３Ｆ’、時刻の「分（ｍｉｎｉｔｅ）」と「秒（ｓｅｃｏｎｄ）」が‘０ｘＦＦ’か‘０ｘ７Ｆ’の値となる。ここで、‘０ｘ…’は、０ｘ以降の数値が１６進表記であることを示す。デジタル記録再生装置１は、この値を参照することにより、無効か否かを判断する（ステップＳ５０５）。タイムコードが無効であれば、処理はステップＳ５０６へ進み、無効でなければ、処理はステップＳ５０３へ進む。ステップＳ５０６では獲得したヘッダ内のタイムコードが無効の場合、無記録用のタイムカウンタをインクリメントする（ステップＳ５０６）。デジタル記録再生装置１は、ステップＳ５０７で、無記録用のタイムカウンタをインクリメントした、カウンタ値が、指定した時間に達したか否かを判断する（ステップＳ５０７）。未到達であれば、処理はステップＳ５０１へ戻り、到達していれば、無記録部検出の通知を行う処理（ステップＳ５０８）を実行し、図５のステップＳ９ａの無記録部の検出を終える。その後、処理は、ステップＳ１０に進む。【００６６】
ＤＶテープの始端／終端を検出するには、テープの状態を示すＡＶ／Ｃコマンドであるトランスポートステータスに対するレスポンスによって判断し、図５のステップＳ９ａのテープの終端の検出を終えステップＳ１０に進む。【００６７】
以上のように、デジタル記録再生装置１のユーザがワンタッチＤＶキャプチャーボタン２１を押下すると、ステップＳ１において、ＣＰＵ１７はワンタッチＤＶキャプチャーボタン２１が押下されたことを検出して、ステップＳ１からＳ１０までの処理を自動的に行うことができ、ＤＶテープの先頭から終わりまでを１回の操作で記録できるという効果がある。【００６８】
また、ユーザがワンタッチＤＶキャプチャーボタン２１を押下するという１回の操作で、デジタル映像機器検出手段により、接続機器の中からどの製造会社のＤＶ機器でも検出可能であるため自動的に所望の記録対象機器のＤＶカム４を選択して、デジタル記録を開始することができ、ユーザが記録対象機器を選択したり、記録モードを確認して設定するという複数の操作を行わなくてよく、簡単かつ確実にＤＶストリームキャプチャー（記録）を行うことができるという効果がある。【００６９】
また、ワンタッチＤＶキャプチャーボタン２１は、デジタル記録再生装置１の本体に装備されていてもよく、また、図示していないが、デジタル記録再生装置１のリモートコントローラに装備されていてもよい。【００７０】
実施の形態３．
図８は、本発明の実施の形態３に係るデジタル記録再生装置のワンタッチＤＶキャプチャーのための動作を示すフローチャートである。実施の形態３のシステム構成は、実施の形態１のものと同様である。したがって、実施の形態３の説明においては、図１及び図２をも参照する。【００７１】
図８において、ステップＳ１〜Ｓ６は、実施の形態１の場合（図５のステップＳ１〜Ｓ６）と同じ動作である。ユーザが、図２の録画専用ボタンであるワンタッチＤＶキャプチャーボタン２１を押下すると、制御部２５はワンタッチＤＶキャプチャーボタン２１が押下されたことを検出し、１３９４Ｌｉｎｋ９でＡＶ／Ｃコマンドを、１３９４ＰＨＹ８及び１３９４Ｉ／Ｆ７を介して出力し、ターゲットのＤＶ機器（例えば、図２のＤＶカム４）を制御する。【００７２】
次のステップＳ７ａでは、ステップＳ３で検索したＤＶカム４に対して、デジタル記録再生装置１からＰｏｉｎｔ−ｔｏ−Ｐｏｉｎｔコネクションで１３９４シリアルバスのＡＳＹＮＣ（図３のアシンクロナス通信の期間）を使ってＤＶカム４が使用可能であるか否かの状態把握を行い、使用可能な状態である場合は、ＤＶカム４は、使用可能のレスポンスを返し、それを受けて、デジタル記録再生装置１は、ＤＶテープ巻き戻しコマンドをＤＶカム４に送信し、ＤＶカム４のＤＶテープの巻き戻し制御を行う。【００７３】
ＤＶカム４は、巻き戻しが終了したことを示すコマンドを、１３９４シリアルバス６を介して送信し、デジタル記録再生装置１の１３９４Ｌｉｎｋ９及びＣＰＵ１７が、このコマンドを受信する。このコマンドを受信したデジタル記録再生装置１の記録開始と、ＤＶカム４の再生開始とを同期させて、スタートコマンドを１３９４Ｌｉｎｋ９が発信し、ＣＰＵ１７からストリーム変換切替部１４で、選択されている記録媒体に同期させた記録開始を命令する。この制御により、ＤＶストリームキャプチャーの処理であるステップＳ８に進む。【００７４】
次のステップＳ８〜Ｓ１０は、実施の形態１の場合（図５のステップＳ８〜Ｓ１０）と同様にキャプチャー開始から停止までの動作である。【００７５】
ステップＳ８〜Ｓ１０の動作により、トランスポートステータスＡＶ／Ｃコマンドでテープの走行状態を検知し、ＡＶ／Ｃタイムコードステータスコマンドによるタイムカウンタ取得により、テープの先頭と終端ポイントを検出し、ＤＶカム４のＤＶテープを必ず先頭に巻き戻してからキャプチャーを開始させることができる。このため、ユーザによるＤＶテープが巻き戻されているかどうかの確認や、巻き戻しの操作を行うことなしにテープの先頭から、しかも、デジタル記録再生装置１の記録開始とＤＶ機器の再生開始とを同期させてスタートできるので、確実にＤＶテープの先頭から記録できるという効果がある。【００７６】
図９は、本発明の実施の形態３に係るデジタル記録再生装置の動作を示すフローチャートであり、図８のステップＳ７ａを詳細に説明した図である。【００７７】
デジタル記録再生装置１は、Ｐｏｉｎｔ−ｔｏ−Ｐｏｉｎｔコネクションで１３９４シリアルバスのＡＳＹＮＣ（図３におけるアシンクロナス通信の期間）を使って、ＤＶカム４が使用可能であるか否かの状態把握をステップＳ７０１からステップＳ７０２で行う。具体的には、デジタル記録再生装置１は、ステップＳ７０１において、ＤＶカムが撮影モードか否かを判断し、ステップＳ７０２において、ＤＶカムがＥｊｅｃｔ／Ｏｔｈｅｒ（カセット取り出し・その他）状態か否かを判断する。ステップＳ７０２においてＤＶカムがＥｊｅｃｔ／Ｏｔｈｅｒでないときには、再生モードであることを確認して、処理は、ステップＳ７０３に進む。使用可能な状態である場合は、ＤＶカム４は、使用可能のレスポンスを返し、それを受けて、デジタル記録再生装置１は、ＤＶテープ巻き戻しコマンドをＤＶカム４に送信（ステップＳ７０３）し、ＤＶカム４のＤＶテープの巻き戻し制御を行う。【００７８】
デジタル記録再生装置１は、ステップＳ７０４でＤＶカム４が巻き戻し（ＲＥＷＩＮＤ）状態になったことを確認する。ＤＶカム４が巻き戻し状態にならなかった時は、ステップＳ７１３に進み、ＳＴＯＰ（停止）状態が１０秒続いたかどうか確認する。ＳＴＯＰ状態が１０秒続いたもしくは、巻き戻しからＳＴＯＰ状態になった（ステップＳ７０５）ならば、処理は、ステップＳ７０６に進み、再生一時停止コマンドを送信する。ステップＳ７０７においてキャプチャー先の状態の確認（図８におけるステップＳ７）を行い、ＡｃｃｅｐｔならステップＳ７０８へ進みＰｌａｙＰａｕｓｅにする（すなわち、再生を一時停止にする）。有記録部からの出画のために５秒待機し（ステップＳ７０９）、その５秒間で再生してテープの有記録部を検知する（ステップＳ７１０）。デジタル記録再生装置１内のＲＡＭ１９に現在の録画日時を記録させ、ＤＶカムに再生コマンドを送信（ステップＳ７１１）し、ＤＶストリームキャプチャーを開始し、取り込み中となる（ステップＳ７１２）。【００７９】
ステップＳ７１０において有記録部でないとき、処理は、ステップＳ７１４に進み図７のフローチャートに示す無記録部検出とするステップに入り、無記録通知をＤＶカム及びデジタル記録再生装置のＣＰＵに送り、取り込み一時停止状態（ステップＳ７１５）にする。その後、ＰｌａｙＰａｕｓｅ状態となり、次の有記録部を検知する。検知したところから、ＤＶストリームキャプチャーを開始する。【００８０】
ステップＳ７０１、Ｓ７０２、Ｓ７０７において「いいえ」の判定時、取り込み中止通知をＤＶカム及びデジタル記録再生装置のＣＰＵに送り（ステップＳ７１６）、Ｉｄｌｅ（アイドル）状態（ステップＳ７１７）にしＤＶカムもデジタル記録再生装置も停止状態となり、ユーザの次のボタン操作を待つ。【００８１】
図１０は、図９のワンタッチＤＶキャプチャーの状態遷移図である。ステップＳ８０１においては、ＤＶカムとデジタル記録再生装置が接続されていて、共に停止（接続状態アイドル）の状態にある。ワンタッチＤＶキャプチャーボタンが押下され、ＤＶカムが再生モードの時、巻き戻しコマンド（図７のステップＳ７０３）がＤＶカムに送信され、ＤＶカムは、ステップＳ８０２のワンタッチＤＶキャプチャーＲＥＷＩＮＤ（巻き戻し）待ち状態となる。ここで、ＤＶカムがＲＥＷＩＮＤ状態以外の状態になった場合は、処理は、ステップＳ８０１に戻る。ステップＳ８０２において、ＤＶカムがＲＥＷＩＮＤ状態になった場合は、処理は、ステップＳ８０３に進み、ＤＶテープが先頭（ＤＶテープの始点）まで巻き戻り、ＤＶカムがＳＴＯＰ状態になったのを確認（図７のステップＳ７０５）後、再生一時停止コマンドを送信する（図７のステップＳ７０６）。ステップＳ８０４において、ＤＶカムは一時停止コマンドを受信し、ステップＳ８０４においてＰｌａｙＰａｕｓｅ待ちの状態になる。出画のために５秒（ＤＶカムが作動するために必要な時間）待ち、ＤＶテープの先頭が有記録部の場合は、処理は、ステップＳ８０５へ進み、ＤＶストリームを取り込み、ステップＳ８０６のＤＶキャプチャー取り込み状態となる。一方、ステップＳ８０４において、ＤＶテープの先頭が無記録部の時及びキャプチャー中に１５秒間（ＤＶカムのカメラ映像取り込み開始ボタンが押された時のテープカウンタの値を保存点とし、実際に記録される遅延分を考慮した値）の無記録部を検知した時は、ＤＶカムにＰｌａｙＰａｕｓｅコマンドを送信し、ステップＳ８０７でＤＶキャプチャーを中断する。次の有記録部を検知したら、再度ステップＳ８０６のＤＶキャプチャー状態になる。それまで、ステップＳ８０８のＤＶデコード開始待ちとなる。【００８２】
実施の形態４．
図１１は、本発明の実施の形態４に係るデジタル記録再生装置のチャプターマーク付与動作を示すフローチャートである。実施の形態４に係るデジタル記録再生装置は、図２のものと同様の構成を有する。図１１において制御部２５（図２）はステップＳ９６で、ワンタッチＤＶキャプチャーボタン２１（図２）が押下されたのを検出し、実施の形態３のステップＳ７ａの処理と同様ＤＶテープを先頭まで巻き戻してから、記録開始のステップＳ９にはいる。ステップＳ９８において、該通信制御バスを介して送られてくるＤＶ信号を検出する。【００８３】
ステップＳ９８で、該通信制御バスを介して送られてくるＤＶテープ情報の１つであるＤＶパケットヘッダー内のＴｉｍｅＣｏｄｅ（タイムコード）をチェックする。【００８４】
ステップＳ９９で、上記ＴｉｍｅＣｏｄｅの不連続点を検出し、不連続点が２秒間以上あれば、ステップＳ１００に進み、チャプターマークを付けてＤＶストリームをキャプチャーする。不連続点が２秒以内であれば、ステップＳ９８に戻り、次のＤＶパケットヘッダーを取り出し、ＴｉｍｅＣｏｄｅの不連続点をチェックする。ステップＳ８２以降は、実施の形態７と同様、無記録部が６０秒間以上あれば記録停止のステップに進み、無記録部が６０秒以内であればステップＳ８３に戻る。【００８５】
これにより、ワンタッチＤＶキャプチャーボタンを押すだけで、簡単にＤＶテープを先頭から終端までＴｉｍｅＣｏｄｅの不連続点に確実にチャプターマークを付けてキャプチャーでき、キャプチャー先のランダムアクセス可能な記録媒体上にＤＶテープと同地点のチャプターマークを自動的に付けてＤＶストリームキャプチャーできるという効果がある。【００８６】
また、ＤＶ機器上で、編集されたポイント及び、ＤＶパケット抜けが起きたポイントも容易に検出できるという効果もある。【００８７】
実施の形態５．
図１２は、本発明の実施の形態５に係るデジタル記録再生装置の動作を示すフローチャートである。図１３（ａ）乃至（ｄ）は、実施の形態５に係るデジタル記録再生装置のＧＵＩ画面表示を示す図である。上記実施の形態１及び２に係るデジタル記録再生装置においては、ＤＶカム４を１３９４接続すると、１３９４シリアルバス６を介してＤＶカム４とのコネクション管理が行われる。このコネクション管理後は、１３９４シリアルバス６を介してＤＶパケット受信が可能となる。図１２は、１３９４コネクション接続が完了し（ステップＳ２０）、ワンタッチＤＶキャプチャーボタンが押下された（ステップＳ２１）ことをＣＰＵ１７が検知し、それ以降の動作フローを示している。実施の形態５のシステム構成は、実施の形態１及び２のものと同様である。したがって、実施の形態５の説明においては、図１及び図２をも参照する。【００８８】
ＤＶストリームキャプチャーシステム１００において、ＤＶカム４のコントローラとして機能するデジタル記録再生装置１は、ワンタッチＤＶキャプチャーボタン２１を押下すると、図１３（ａ）に示すようなＧＵＩ画面３０をモニタＴＶ５に表示する。図１３（ａ）に示すＤＶストリームキャプチャー情報３１において、接続されているＤＶカム４の機種名、ＤＶカムにセットされている記録済みのＤＶテープタイムカウンタとキャプチャー先のデバイス、及びそのデバイスの残量（データ記憶装置の記憶容量の残量）を表示する。また、図１３（ａ）に示す画面表示３０のＤＶカウンタ３２は、再生中のＤＶ映像のタイムカウンタを表示する。【００８９】
図１２のステップＳ２２では、検索されたＤＶカム４内のＤＶテープ情報のＤＶパケットヘッダーのリメインタイム（残り時間情報）をチェックし、図１３（ａ）のＤＶテープ容量３１ｃを表示する。【００９０】
ステップＳ２２ａでは、ＤＶ記録時間をチェックするために、ＤＶテープをスキャンする。スキャン後、ステップＳ２９でＤＶテープを先頭まで巻き戻し、ステップＳ３０，Ｓ３１，Ｓ３２で行う記録動作は、実施の形態１（図５）のステップＳ７〜Ｓ１０の動作と同様である。【００９１】
次のステップＳ２３，Ｓ２４では、キャプチャー先であるＨＤＤ又はＤＶＤの記録可能な残量に、ＤＶテープ情報すべてが記録可能かどうかを判定するためのコンパレータである。この判定は、以降のステップＳ２５，Ｓ２６、又は、ステップＳ３４，Ｓ３５により行う。ステップＳ２６又はＳ３５において、ｎ≦２であれば、ＨＤＤ又はＤＶＤに記録可能である。ｎ≦２でなければ、ステップＳ３３に進み、図１３（ｂ）の画面表示３５を表示し、ユーザが所定の処理つまり、記憶容量が十分にあるＤＶＤを挿入するかＨＤＤ内の空き容量を増やすような処理を行うようアドバイスする。【００９２】
ステップＳ２４ではデジタル記録再生装置１内のＣＰＵ１７がキャプチャー先であるランダムアクセス可能な記録媒体としてＨＤＤ又はＤＶＤのどちらが選択されているか確認する。ＨＤＤが選択されているときは、処理はステップＳ２５へ進み、ＤＶＤが選択されているときはステップＳ３４へ進む。【００９３】
ＨＤＤ選択時は、処理はステップＳ２５，Ｓ２６，Ｓ２７と進み、ステップＳ２７においてＨＤＤ残量を確認する。確認方法は、ＨＤＤ１１内にあるファイル管理部において管理している記録済みデータ容量をＨＤＤコントローラ１０内にあるメモリ１０ａに伝送し、番組リスト表示データとして記録する。記録済みの記録時間を合計し、ＨＤＤのデータ記録可能な全容量から記録済み容量を差し引き、記録可能な残量を管理する。この残量を記録モード毎に時間換算し、選択された記録モード毎に残り時間を図１３（ａ）のＤＶ情報３１に表示する。【００９４】
ステップＳ２７又はステップＳ３６では、ランダムアクセス可能な記録媒体の残量を算出し、算出値を時間に換算する。【００９５】
ステップＳ２８又はステップＳ３７において、上記算出した記録残量時間と、ＤＶパケットヘッダーのリメインタイムと比較する。その結果、選択されたランダムアクセス可能な記録媒体の記録残量が不足のため、ＤＶテープ内情報データすべてが記録できない場合は、処理はステップＳ３８，Ｓ３９又はステップＳ４０，Ｓ４１へと進む。選択したランダムアクセス可能な記録媒体により、図１３（ｃ）の画面表示３３又は図１３（ｄ）の画面表示３４のような表示を行い、ＤＶテープの先頭から終端まで確実にＤＶストリームキャプチャーできるようユーザに提示する。【００９６】
ステップＳ２８では、ＨＤＤ記録可能な残量とキャプチャーしたいＤＶテープ容量の比較を行い、ＨＤＤ記録可能な残量が、ＤＶテープのキャプチャーに十分足りる量であると判断したときは、処理はステップＳ２９に進む。【００９７】
同様に、ＤＶＤ選択時は、処理はステップＳ３４，Ｓ３５，Ｓ３６，Ｓ３７と進み、ステップＳ３７でＤＶＤの記録可能な残量とＤＶテープ容量を比較し、ＤＶテープのキャプチャーに十分足りると判断したときは、処理はステップＳ２９へと進み、ＤＶテープを巻き戻す。【００９８】
ステップＳ３６でのＤＶＤ残量確認方法は、次の手順による。ＤＶＤ１２内にあるファイル管理部において管理している記録済みデータ容量をＤＶＤコントローラ１３内にあるメモリ１３ａに伝送し、番組リスト表示データとして記録する。記録済みの記録時間を合計し、ＤＶＤデータ記録可能な全容量から記録済み容量を差し引き、記録可能な残量を管理する。この残量を記録モード毎に時間換算し、選択された記録モード毎に残り時間を表示画面３０のキャプチャー情報３１に表示する。【００９９】
ステップＳ２９では、ＤＶテープの巻き戻しを行う。ステップＳ３０では、ステップＳ２９で巻き戻したＤＶテープをＤＶカウンタで５秒間再生し、ＤＶ信号を検出したカウント数を１３９４シリアルバス６経由で、デジタル記録再生装置１のＲＡＭ１９に一時記憶しておき、再度ＤＶテープを先頭まで巻き戻し、ＤＶ信号検出のカウント数になったら、選択されたランダムアクセス可能な記録媒体の記録開始を同期させる。【０１００】
ステップＳ３１では、同期ポイントから選択されたランダムアクセス可能な記録媒体の記録開始を行う。ステップＳ３２では、ＣＰＵ１７が１３９４シリアルバス経由でＤＶテープの終端を検出し、選択されたランダムアクセス可能な記録媒体への記録を停止させる。【０１０１】
以上のように、デジタル記録再生装置１内のランダムアクセス可能な記録媒体内の記録可能な残量を管理しているので、ＤＶテープのすべてをキャプチャーする際、選択したランダムアクセス可能な記録媒体の残量がＤＶキャプチャーに不足と判定した場合は、デジタル記録再生装置１内にある、別のランダムアクセス可能な記録媒体を候補としてユーザに情報を提示してくれるので、ＤＶテープを先頭から終端まで確実に記録できるという効果がある。【０１０２】
また、ＤＶテープを必ず先頭に巻き戻し、ＤＶテープと選択したランダムアクセス可能な記録媒体への記録開始を同期させることができるので、ユーザによるＤＶテープが巻き戻っているかどうかの確認や、同期させた記録開始の操作を行うことなしにテープの先頭から終端まで確実に自動記録できるという効果がある。【０１０３】
実施の形態６．
図１４及び図１５は、本発明の実施の形態６に係るデジタル記録再生装置の動作を示すフローチャート（その１及び２）である。図１４及び図１５は、上記実施の形態５に係るデジタル記録再生装置において、ＤＶテープの情報データすべてを記録するために、ユーザが選択しているランダムアクセス可能な記録媒体がセットされているか否か、それが使用可能な状態にあるか否か、さらに前記選択記録媒体の残量確認を行い、それが記録不可能な場合は、記録可能な媒体をユーザに提示又は、記録可能にするためのアドバイスをダイアログ表示するためのフローチャートである。また、図１６（ａ）乃至（ｄ）は、実施の形態６に係るデジタル記録再生装置のＧＵＩ画面表示を示す図である。実施の形態６のシステム構成は、実施の形態５のものと同様である。したがって、実施の形態６の説明においては、図１、図２、及び図１３（ａ）乃至（ｄ）、図１７（ａ）乃至（ｆ）、図１８（ａ）乃至（ｃ）をも参照する。【０１０４】
ＤＶキャプチャーシステム１００において、ＤＶカム４のコントローラとして機能するデジタル記録再生装置１は、ワンタッチＤＶキャプチャーボタン２１を押下すると図１３（ａ）に示すようなＧＵＩ画面３０をモニタＴＶ５に表示する。【０１０５】
図１４のステップＳ２２ｂ，Ｓ２３では、実施の形態５（図１２のＳ２２ａ，Ｓ２３）と同様に、ＤＶパケットヘッダーのリメインタイム及びＤＶ記録時間をチェックする。ステップＳ２４では、ユーザがキャプチャー先の記録デバイスモードをＨＤＤに選択しているかどうかを判定する。ＨＤＤ選択の場合は、ステップＳ２５に進みカウントアップする。ＤＶＤ選択の場合は、ステップＳ３４に進みカウントアップする。【０１０６】
ステップＳ５０において、ＨＤＤが使用可能な状態か否かを確認する。使用可能であればステップＳ５１，Ｓ５２，Ｓ５３に進み、ステップＳ５３でキャプチャー元のＤＶテープ容量（データ量）と、キャプチャー先のＨＤＤの残量の比較を行う。ＨＤＤ残量がＤＶテープのより多ければ（充足していれば）、ステップＳ５４，Ｓ５５に進む。なお、残量確認方法は、実施の形態５の場合と同様である。【０１０７】
ステップＳ５４において、ｎ＝２のときはＨＤＤを選択しており、その記録可能な容量がＤＶテープ容量に足りている場合である。ｎ＝２を判定してステップＳ５５に進む。【０１０８】
ステップＳ５５において、ＤＶ機器のＤＶテープの巻き戻しを行い、ＨＤＤへの記録開始とＤＶ再生開始の同期をとってステップＳ３１で記録開始し、テープの終端を検出したらステップＳ３２において記録停止を行う。【０１０９】
上記ＨＤＤ使用可能か否かの判定ステップＳ５０において、ＨＤＤが使用中などの理由で使用できない状態のとき、ステップＳ５６，Ｓ５７を通過し、ステップＳ３４のＤＶＤの状態チェックのステップに進む。【０１１０】
ステップＳ５８において、ＤＶＤドライブにＤＶＤがセットされているか確認する。ＤＶＤが挿入されていない場合は、ステップＳ５９に進み、図１６（ｄ）の画面表示３９のように「ＤＶＤをセットしてください。」のダイアログを表示し、ステップＳ５８に戻る。【０１１１】
ステップＳ５８において、ＤＶＤがセットされている場合はステップＳ６０，Ｓ６１に進み、ＤＶＤドライブが使用可能か否か確認する。使用可能であれば、ステップＳ６２，Ｓ６３，Ｓ６４に進む。【０１１２】
ステップＳ６４において、キャプチャー元のＤＶテープ容量と、キャプチャー先のＤＶＤの記録可能な容量の比較を行い、ＤＶテープすべてをキャプチャーできるかどうかチェックする。ＤＶＤのディスク容量がＤＶテープキャプチャーに十分足りていると判断された場合は、ステップＳ６５に進む。【０１１３】
ステップＳ６５において、ｎ＝３のときは、ＤＶＤを選択又はＤＶＤを選択していたがＤＶＤがセットされていなかったために警告メッセージを表示後、ユーザがＤＶＤをセットし、その記録可能な容量がＤＶテープ容量に足りている場合である。ｎ＝３を判定してステップＳ６６に進む。【０１１４】
ステップＳ６６へ進む経路が確定したら、実施の形態５と同様のＤＶＤ残量確認方法に基づき、図２のＤＶＤ１２内にあるファイル管理部において管理している記録済みデータ容量をＤＶＤコントローラ１３内にあるメモリ１３ａに伝送し、番組リスト表示データとして記録する。記録済みの記録時間を合計し、ＤＶＤデータ記録可能な全容量から記録済み容量を差し引き、記録可能な残量を管理する。この残量を記録モード毎に時間換算し、選択された記録モード毎に残り時間を、図１３（ａ）乃至（ｄ）の画面表示３０のＤＶリメインタイム３１ｃ及び、キャプチャー情報３１に表示する。【０１１５】
ステップＳ６６では、巻き戻したＤＶテープをＤＶカウンタで５秒再生し、ＤＶの信号を検出したカウント数を１３９４シリアルバス６経由で、デジタル記録再生装置１のＲＡＭ１９に一時記憶しておき、再度ＤＶテープを先頭まで巻き戻し、ＤＶ信号検出のカウント数になったら、選択されたランダムアクセス可能な記録媒体の記録開始を同期させる。【０１１６】
ステップＳ６６で、ＤＶ機器のＤＶテープの巻き戻しを行い、ＤＶＤへの記録開始とＤＶ再生開始の同期をとってステップＳ３１で記録開始し、テープの終端を検出したらステップＳ３２において記録停止を行う。【０１１７】
ステップＳ３１では、同期ポイントから選択されたランダムアクセス可能な記録媒体の記録開始を行う。【０１１８】
ステップＳ３２では、ＣＰＵ１７が１３９４経由でＤＶテープの終端を検出し、選択されたランダムアクセス可能な記録媒体への記録を停止させる。【０１１９】
ステップＳ６７で正常にキャプチャーできたことをユーザに、図１７（ａ）に示されるように、「正常にＤＶキャプチャーを完了しました。」というダイアログ表示４０で伝える。【０１２０】
上記ステップＳ５０のＨＤＤが使用可能か否かの判定に戻って、ＨＤＤが使用中などの理由で使用できない状態の場合、ステップＳ５６でｎ＝３のときは、ＤＶＤを選択していたがＤＶＤ使用中のため、ステップＳ６８で「ＤＶＤ及びＨＤＤが使用中のため使用不可能です。所定の処理を行ってください。」のダイアログ表示（図１７（ｂ）の４１）を行う。それ以外はステップＳ５７に進む。【０１２１】
ステップＳ５７において、ｎ＝４のときはＤＶＤを選択していたがＤＶＤの残量がＤＶテープ容量を下回っていたためＤＶテープすべてを記録できないため、次候補の記録デバイスＨＤＤのチェックをした。その結果ＨＤＤは使用中であったため、ステップＳ６９で「セットされているＤＶＤの残量が足りません。ＨＤＤは現在、使用中のため記録できません。画面のＤＶテープのリメインタイムを参照いただき記録可能なＤＶＤをセットしてください。ＨＤＤに記録する場合はＨＤＤの使用を中止してください。」のダイアログ表示（図１７（ｃ）の４２）を表示する。【０１２２】
上記、ＤＶテープとＨＤＤ残量比較チェックのステップＳ５３において、ＨＤＤ残量がキャプチャー元のＤＶテープ容量より少ないと判定されたとき、ステップＳ７０に進む。【０１２３】
ステップＳ７０においてｎ≧４のときは、ＤＶＤを選択し、ＤＶＤの使用チェック（ステップＳ６１）で使用中と判定されたため、ＨＤＤのチェックを行いその結果ＨＤＤ残量不足と判定された場合である。このとき、ステップＳ７１に進みその旨ダイアログ表示（図１７（ｄ）の４３）を行う。【０１２４】
ステップＳ７０において、ｎ≧４でないときは、ＨＤＤを選択しＨＤＤの残量チェック（ステップＳ５３）をした結果、不足と判定した場合である。このときステップＳ７２に進みＤＶＤのチェックへと進む。【０１２５】
上記ＤＶテープ容量とＨＤＤ残量チェックＳ５３後のステップＳ５４において、ｎ＝２でないときステップＳ７３に進む。【０１２６】
ステップＳ７３において、ｎ＝４のときは、ＤＶＤを選択していたがＤＶＤは使用中のため、ＨＤＤのチェックを行い、その結果ＨＤＤは使用可能であった場合である。このときステップＳ７６に進み、その旨のダイアログ表示（図１７（ｅ）の４４）を行い、ステップＳ７４に進む。【０１２７】
ステップＳ７４において、ユーザがＨＤＤ記録でよいと了解した場合、ステップＳ５５に進みＨＤＤ記録を開始する。【０１２８】
ステップＳ７４において、ユーザがＨＤＤ記録の了解をしなかった場合は、ステップＳ７５に進みＴＶ放送画面（ＥＥ画面）に戻る。【０１２９】
ステップＳ７３において、ｎ＝４でないときステップＳ７７に進む。ｎ＝５の場合は、ＤＶＤを選択していたが、ＤＶＤの記録可能な容量が不足していたため、ＨＤＤのチェックを行った。その結果、ＨＤＤには記録可能という判断が出た場合である。このとき、ステップＳ７８に進みこの旨のダイアログ表示（図１６（ｂ）の３７）を行いユーザのＨＤＤへの記録をユーザが了解した場合はステップＳ７４に進む。【０１３０】
上記ＨＤＤを選択していてＨＤＤが使用中の場合、ＤＶＤチェックのステップＳ６１において、ＤＶＤも使用中で使用不可能の場合ステップＳ７９に進みそこでの判定で、ｎ＝３であった場合、ステップＳ６８に進み「ＨＤＤ，ＤＶＤ共に使用中のためＤＶキャプチャーできません。所定の処理を行ってください。」のダイアログ表示（図１７（ｆ）の４５）を行う。【０１３１】
ＨＤＤを選択していてＨＤＤが残量不足の場合、ＤＶＤチェックを行った結果、ＤＶＤ使用中という判断がステップＳ８０でわかり、そのときステップＳ８１に進み、その旨のダイアログ表示（図１８（ａ）の４６）を行う。【０１３２】
ＨＤＤを選択していてＨＤＤが使用中のため、ＤＶＤのチェックを行った結果、ＤＶＤの記録可能な容量が不足していとステップＳ６４で判定されたときステップＳ８２に進む。そのときの表示をステップＳ８３にてダイアログ表示（図１８（ｂ）の４７）を行う。【０１３３】
ＨＤＤを選択していてＨＤＤの残量不足のため、ＤＶＤチェックを行った結果ステップＳ８４に進んだ場合、そこでの判定がＤＶＤの記録可能な容量も不足しているという結果となり、その旨をステップＳ８５においてダイアログ表示（図１３（ｂ）の３５）する。【０１３４】
ＤＶＤの記録可能な容量とＤＶテープ容量の比較のステップＳ６４において充足を確認し、ステップＳ６５に進み、そこでｎ＝３でない場合はステップＳ８６に進む。ユーザは最初ＨＤＤを選択していたが、使用中のためＤＶＤチェックに進む。ステップＳ８６でｎ＝４のとき、ＤＶＤは使用可能であることが判定され、ステップＳ８７において「ＨＤＤは使用中のため、使用不可能であるが、ＤＶＤは記録可能です。ＤＶＤへ記録しますか？」のダイアログ表示（図１８（ｃ）の４８）を行いステップＳ８８に進む。【０１３５】
ステップＳ８８において、ユーザがＤＶＤへの記録を了解したか否かを判断し、了解の場合は、ステップＳ６６に進み、ＤＶテープの巻き戻しを行い、ＤＶＤへの記録が開始されるステップへと進む。【０１３６】
ステップＳ８６において、ｎ＝４でないとき、ステップＳ８９に進む。これは、ユーザが最初ＨＤＤを選択していたが、ＨＤＤ残量が足りないとステップＳ５３で判定され、ＤＶＤチェックのステップに進みＤＶＤの記録が可能であると判断された場合である。このとき，ステップＳ９０で「ＨＤＤは残量不足であるが、ＤＶＤへの記録は可能である。」旨をダイアログ表示（図１６（ａ）の３６）を行い、ＤＶＤへの記録をユーザが了解するかどうかのステップＳ８８に進む。【０１３７】
ステップＳ８８において、ＤＶＤ記録の了解が得られれば、ステップＳ６６へと進み、そうでない場合は、ステップＳ７５に進み、テレビ放送画面（ＥＥ画面）に戻る。【０１３８】
これにより、デジタル記録再生装置１内のランダムアクセス可能な記録媒体内の記録可能な残量を確認できるので、ＤＶテープのすべてをキャプチャーする際、選択した一方のランダムアクセス可能な記録媒体の残量がＤＶキャプチャーに不足と判定した場合はデジタル記録再生装置１内にある、他方のランダムアクセス可能な記録媒体を自動的に使用可能かどうかをチェックし、ユーザに的確な情報を提示できるので、ユーザは記録媒体の選択を迷うことなく、ＤＶテープを先頭から終端まで確実に記録できるという効果がある。【０１３９】
また、ＤＶテープを必ず先頭に巻き戻し、ＤＶテープと選択したランダムアクセス可能な記録媒体への記録開始を同期させることができるので、困難な記録開始の同期操作を行うことなしに無駄なくテープの先頭から終端まで確実に自動記録できるという効果がある。【０１４０】
実施の形態７．
図１９は、本発明の実施の形態７に係るデジタル記録再生装置のチャプターマーク付与動作を示すフローチャートである。実施の形態７に係るデジタル記録再生装置は、実施の形態１の説明に用いた図２の構成と同様の構成を有するものである。図１９のステップＳ８１では、図２の制御部２５でワンタッチＤＶキャプチャーボタン２１が押下されたのを検出し、実施の形態２の説明に用いた図８のステップＳ７ａの処理と同様に、ＤＶテープを先頭まで巻き戻してから、記録開始のステップＳ９に進む。【０１４１】
ステップＳ８３で、通信制御バスである１３９４バスを介して送られてくるＤＶテープ情報の１つであるＤＶパケットヘッダー内のＶＡＵＸ内ＲｅｃＴｉｍｅ（記録時間）をチェックする。【０１４２】
ステップＳ８４で、上記ＲｅｃＴｉｍｅの不連続点を検出し、２秒以上の不連続点があれば、ステップＳ８５に進み、チャプターマークを付けてＤＶキャプチャーする。不連続点が２秒未満であれば、ステップＳ８３に戻り、次のＤＶビデオのパケットヘッダーの取り出しを行い、ＲｅｃＴｉｍｅの不連続点を検出する。なお、「チャプター」とは、指定されたひとかたまりの場面のことをいい、その場面の始点を指定していつでもそこに飛べるようにマークしておくことを、チャプターの始点として記録されたマークが「チャプターマーク」である。【０１４３】
ステップＳ８２において、無記録部が６０秒間以上あれば記録停止のステップに進み、無記録部が６０秒未満であれば、ステップＳ８３に戻る。【０１４４】
無記録部が６０秒間以上あったとき、ステップＳ９ａに進み、実施の形態２と同様にして、テープの終端を検出して記録停止のステップに進む。【０１４５】
ＲｅｃＤａｔｅをチェックし、日付が更新されているポイント（不連続点）を検出してチャプターマークを付けてもよい。【０１４６】
これにより、ワンタッチＤＶキャプチャーボタンを押すだけで、キャプチャー中、ＲｅｃＴｉｍｅの不連続点を検出し自動的にチャプターマークを付けることが可能となり、ユーザはＤＶストリームキャプチャー後、ＤＶカムで撮影した日時などをチェックし、更新されているポイントを見つけ、キャプチャー先である記録媒体のキャプチャー情報にチャプターマークを挿入するという煩雑な操作を行わなくてもよいという効果がある。【０１４７】
また、ワンタッチＤＶキャプチャーボタンを押すだけで、簡単にＤＶテープを先頭から終端までＲｅｃＴｉｍｅの不連続点に確実にチャプターマークを付けてキャプチャーでき、ＤＶテープの記録日時の不連続点を検出することにより、ＤＶテープ上にあるチャプターマークを検出し、チャプター先のランダムアクセス可能な記録媒体上にＤＶテープと同地点のチャプターマークを自動的に付けてＤＶストリームキャプチャーできるという効果がある。【０１４８】
実施の形態８．
図２０は、本発明の実施の形態８に係るデジタル記録再生装置の動作を示すフローチャートである。実施の形態８に係るデジタル記録再生装置は、図２に示されるものと同様の構成を有する。図２に示される表示切替ボタン５５を押下すると、図２０のフローチャートがスタートする。【０１４９】
図２のユーザインターフェース２０の表示切替ボタン５５の操作によりＤＶ機器の再生開始を行うと、図１３（ａ）の画面表示のＤＶテープの経過時間であるＤＶカウンタ３２とＤＶテープの残り時間であるＤＶリメインタイム３１ｃの両方又はいずれか一方に切り替えて表示する。【０１５０】
表示切替ボタンは、トグル（同一の操作で二つの状態を交互に切り替える操作部）であり、ＤＶカウンタ３２とＤＶリメインタイムを同時表示、ＤＶカウンタ表示、ＤＶリメインタイム表示を切り替える。【０１５１】
図２０のステップＳ９１において、表示切替ボタンが押下されたか否かのチェックを行い、押下されているのをＣＰＵ１７が確認した場合、ステップＳ２２のＤＶパケットヘッダーのリメインタイムのチェックさらにステップＳ９２のＤＶパケットヘッダーのタイムコードのチェックを行う。【０１５２】
ステップＳ９３、Ｓ９４において、表示切替ボタンの押下回数を確認し、１回であれば、ステップＳ９５ａに進み、ＤＶテープの経過時間及び残り時間の両方を表示する。ステップＳ９３、Ｓ９４において、表示切替ボタンの押下回数を確認し、２回であれば、ステップＳ９５ｂに進み、ＤＶテープの経過時間を表示する。ステップＳ９３、Ｓ９４において、表示切替ボタンの押下回数を確認し、３回であれば、ステップＳ９５ｃに進み、ＤＶテープの残り時間を表示する。これらの表示は、例えば、図１３（ａ）のＤＶカウンタ３２、リメインタイム３１ｃのような画面表示である。【０１５３】
以上のように、ユーザはＤＶテープの再生開始から現状の経過時間、及びＤＶテープの残り時間を確認できるので、ＤＶキャプチャー状況が簡単に確認できるという効果がある。  【０１５４】
実施の形態９．
実施の形態９に係るデジタル記録再生装置は、上記実施の形態１に係るデジタル記録再生装置と同様の構成を有する。したがって、実施の形態９の説明においては、図１及び図２をも参照する。【０１５５】
図２においてＧＵＩデータは、１３９４シリアルバス６を介して入力されたＤＶ映像データの記録先を、ストリーム変換切替部１４によってＨＤＤ１１又はＤＶＤ１２のいずれか一方に切替え、それぞれに適合したフォーマット変換を行い、ＨＤＤ１１又はＤＶＤ１２のいずれかにデータを記録する。ＧＵＩ生成回路５４は、図４に示すようなＧＵＩ表示をするためのＧＵＩデータを生成し、制御部２５からの制御信号に応じて、表示制御回路５３が、映像を形成するビデオデータにＧＵＩデータを重畳し、映像出力端子を経てモニタＴＶ５に出力する。モニタＴＶ５は、映像データにＧＵＩ画面を重ねた映像を表示する。【０１５６】
そして、実施の形態９においては、モニタＴＶ５は、デジタルテレビ放送を受信し、受信したデジタルテレビ放送信号をリアルタイムに復号して表示する受信表示モードと、ＩＥＥＥ１３９４Ｉ／Ｆ回路を介して供給されるデジタル外部入力モードと、アナログ入力端子を介して供給されるアナログ信号を処理するアナログ外部入力モードとを有している。【０１５７】
モニタＴＶ５とデジタル記録再生装置１は１３９４接続されており、アシンクロナスによりモニタＴＶ５に表示されたＧＵＩに対し、モニタＴＶ５のリモコン（図示せず）でＤＶカム４の外部制御をする。【０１５８】
以上のように、実施の形態９においては、モニタＴＶ５の画面のＧＵＩを見ながら操作できるという効果がある。
【図１】
2006087862.tif 000002
【図２】
2006087862.tif 000003
【図３】
2006087862.tif 000004
【図４】
2006087862.tif 000005
【図５】
2006087862.tif 000006
【図６】
2006087862.tif 000007
【図７】
2006087862.tif 000008
【図８】
2006087862.tif 000009
【図９】
2006087862.tif 000010
【図１０】
2006087862.tif 000011
【図１１】
2006087862.tif 000012
【図１２】
2006087862.tif 000013
【図１３】
2006087862.tif 000014
【図１４】
2006087862.tif 000015
【図１５】
2006087862.tif 000016
【図１６】
2006087862.tif 000017
【図１７】
2006087862.tif 000018
【図１８】
2006087862.tif 000019
【図１９】
2006087862.tif 000020
【図２０】
2006087862.tif 000021
【図２１】
2006087862.tif 000022
【図２２】
2006087862.tif 000023
【図２３】
2006087862.tif 000024
【図２４】
2006087862.tif 000025
【図２５】
2006087862.tif 000026
【手続補正書】
【提出日】平成18年3月6日(2006.3.6)
【手続補正１】
【補正対象書類名】特許請求の範囲
【補正対象項目名】全文
【補正方法】変更
【補正の内容】
【特許請求の範囲】
【請求項１】
制御信号と情報信号とを混在させて送受信できる通信制御バスによる双方向通信手段と、
前記双方向通信手段を介して接続されたデジタル映像機器を検出するデジタル映像機器検出手段と、
前記検出されたデジタル映像機器の入出力プラグの論理的チャンネルと仮想的接続する仮想的接続手段と、
前記デジタル映像機器からのストリームデータを、使用するランダムアクセス可能な記録媒体の記録フォーマットに変換するストリーム変換手段と、
前記記録媒体に前記フォーマット変換されたデータを記録する記録手段と、
前記記録手段の動作を制御する記録動作制御手段と、
表示手段に表示される操作画面を生成する操作画面生成手段と、
前記操作画面に基づいた操作を入力する操作手段と、
前記検出されたデジタル映像機器の選択画面を前記表示手段に表示する表示制御手段と、
前記選択画面により所望のデジタル映像機器を選択する選択手段と、
前記仮想的接続手段を介して前記選択されたデジタル映像機器の動作状態の把握と制御を行う仮想的デジタル映像機器制御手段と、
を有し、
前記デジタル映像機器検出手段は、２種類のＡＶ／Ｃコマンドを発信し、前記２種類のＡＶ／Ｃコマンドに対するデジタル映像機器からのレスポンスに基づいて、前記通信制御バスに接続されているデジタル映像機器の中から所望のデジタル映像機器を検出する
ことを特徴とするデジタル記録再生装置。
【請求項２】
前記デジタル映像機器からのストリームデータをランダムアクセス可能な記録媒体に録画することを指示する専用録画ボタンをさらに有し、
前記記録動作制御手段が、
前記専用録画ボタンにより録画が指示されたときに、前記仮想的デジタル映像機器制御手段を制御して、ＡＶ／Ｃコマンドを用い、デジタル映像機器が撮影モードか再生モードかを判別する機能を備え、ＤＶテープの無記録部を検出する無記録部検出手段を有する
ことを特徴とする請求の範囲１に記載のデジタル記録再生装置。
【請求項３】
前記専用録画ボタンにより録画が指示されたときに、前記仮想的デジタル映像機器制御手段を制御して、ＡＶ／Ｃコマンドを用い、前記選択されたデジタル映像機器のＤＶテープを先頭まで巻き戻させた後に再生を開始させ前記記録手段によるストリームデータの記録を開始させ、テープ終端を検知してデジタル映像機器とデジタル記録再生装置とを共に、停止させて記録する手段を有し、デジタル映像機器をコントロールする手段を有することを特徴とする請求の範囲２に記載のデジタル記録再生装置。
【請求項４】
前記記録媒体にチャプターマークを記録するチャプターマーク記録手段と、
前記選択されたデジタル映像機器のＤＶパケットヘッダー内にあるタイムコードが不連続になっているポイントを検出するタイムコード不連続点検出手段とをさらに有し、
前記タイムコード不連続点検出手段が検出したポイントに対応する前記記録媒体のアドレスにチャプターマークを記録する
ことを特徴とする請求の範囲１に記載のデジタル記録再生装置。
【請求項５】
前記記録動作制御手段が、
前記仮想的デジタル映像機器制御手段を制御して、前記選択されたデジタル映像機器のＤＶテープの全記録時間を取得する全記録時間取得手段と、
前記記録媒体の記録可能な容量を確認する記憶容量確認手段とを有し、
前記専用録画ボタンにより録画が指示されたときに、前記仮想的デジタル映像機器制御手段を制御して、前記選択されたデジタル映像機器のＤＶテープの全記録時間と前記記録媒体の記録可能な容量とを取得して、前記操作画面表示手段に表示させ、前記操作手段による記録開始操作により記録を開始する
ことを特徴とする請求の範囲１に記載のデジタル記録再生装置。
【請求項６】
前記記録動作制御手段が、
前記ＤＶテープの全記録時間を取得する全記録時間取得手段と、
前記ＤＶテープからの再生時間を取得する再生時間取得手段と、
前記ＤＶテープの再生の経過時間と残り時間を切り替えて画面表示する画面表示切替手段とを有し、
前記専用録画ボタンによる切替操作に基づいて、前記ＤＶテープの経過時間と残り時間を切り替えて画面表示させる
ことを特徴とする請求の範囲１に記載のデジタル記録再生装置。
【請求項７】
前記記録媒体にチャプターマークを記録するチャプターマーク記録手段と、
前記選択されたデジタル映像機器のＤＶテープのデータ情報が記録された日付が更新されているポイント又は記録時間が不連続になっているポイントを検出する不連続点検出手段とをさらに有し、
前記不連続点検出手段が検出したポイントに対応する前記記録媒体のアドレスにチャプターマークを記録する
ことを特徴とする請求の範囲１に記載のデジタル記録再生装置。
【請求項８】
前記記録媒体が、ハードディスク又はデジタル多用途ディスクであることを特徴とする請求の範囲１に記載のデジタル記録再生装置。
【請求項９】
前記通信制御バスが、ＩＥＥＥ１３９４規格の通信制御バスであることを特徴とする請求の範囲１に記載のデジタル記録再生装置。
【請求項１０】
デジタル映像機器からのストリームデータをランダムアクセス可能な記録媒体に録画することを指示する専用録画ボタンが押下されたときに、制御信号と情報信号とを混在させて送受信できる通信制御バスによる双方向通信手段を介して接続されたデジタル映像機器を検出するステップと、
前記検出されたデジタル映像機器の入出力プラグの論理的チャンネルと仮想的接続するステップと、
前記デジタル映像機器からのストリームデータを、使用するランダムアクセス可能な記録媒体の記録フォーマットに変換するステップと、
前記記録媒体に前記フォーマット変換されたデータを記録するステップと
を有し、
前記デジタル映像機器を検出するステップにおいて、２種類のＡＶ／Ｃコマンドを発信し、前記２種類のＡＶ／Ｃコマンドに対するデジタル映像機器からのレスポンスに基づいて、前記通信制御バスに接続されているデジタル映像機器の中から所望のデジタル映像機器を検出する
ことを特徴とするデジタル記録方法。
【請求項１１】
前記専用録画ボタンにより録画が指示されたときに、前記選択されたデジタル映像機器のＤＶテープを先頭まで巻き戻させた後に再生を開始させると共に、前記記録手段による前記ストリームデータの記録を開始させる
ことを特徴とする請求の範囲１０に記載のデジタル記録方法。
【請求項１２】
前記選択されたデジタル映像機器のＤＶテープの全記録時間を取得するステップと、
前記記録媒体の記録可能な容量を確認するステップと、
前記専用録画ボタンにより録画が指示されたときに、前記選択されたデジタル映像機器のＤＶテープの全記録時間と前記記録媒体の記録可能な容量とを取得して、表示手段に表示するステップと、
ユーザによる記録開始操作により、前記記録媒体に前記フォーマット変換されたデータを記録するステップと
をさらに有することを特徴とする請求の範囲１０に記載のデジタル記録方法。
【請求項１３】
前記選択されたデジタル映像機器のＤＶテープの全記録時間を取得するステップと、
前記記録媒体の記録可能な容量を確認するステップと、
前記全記録時間と前記記録可能な容量により前記選択されたデジタル映像機器のＤＶテープの全記録データを前記記録媒体にすべて記録可能か否かを判定するステップと、
前記専用録画ボタンにより録画が指示されたときに、前記判定が全記録可能であるときに、前記選択されたデジタル映像機器のＤＶテープを先頭まで巻き戻した後に再生を開始させる共に、前記ストリームデータの記録を開始させるステップと
をさらに有することを特徴とする請求の範囲１１に記載のデジタル記録方法。
【請求項１４】
前記ＤＶテープの全記録時間を取得するステップと、
前記ＤＶテープからの再生時間を取得するステップと
をさらに有し、
前記専用録画ボタンによる切替操作に基づいて、前記ＤＶテープの経過時間と残り時間を切り替えて画面表示させる
ことを特徴とする請求の範囲１１に記載のデジタル記録方法。
【請求項１５】
前記選択されたデジタル映像機器のＤＶテープのデータ情報が記録された日付が更新されているポイント又は記録時間が不連続になっているポイントを検出するステップと、
前記検出されたポイントに対応する前記記録媒体のアドレスにチャプターマークを記録するステップと
をさらに有することを特徴とする請求の範囲１０に記載のデジタル記録方法。
【請求項１６】
前記選択されたデジタル映像機器のＤＶパケットヘッダー内にあるタイムコードが不連続になっているポイントを検出するステップと、
前記検出したポイントに対応する前記記録媒体のアドレスにチャプターマークを記録するステップと
をさらに有することを特徴とする請求の範囲１０に記載のデジタル記録方法。
【手続補正２】
【補正対象書類名】明細書
【補正対象項目名】００５５
【補正方法】変更
【補正の内容】
【００５５】
次のステップＳ５では、ＤＶカム４のノードベンダーＩＤの問い合わせを行う。このノードベンダーＩＤの問い合わせは、１３９４シリアルバスのＡＳＹＮＣコマンドを使ってＣｏｎｆｉｇ．ＲＯＭの読み取りによって行われる。
【手続補正書】
【提出日】平成19年4月26日(2007.4.26)
【手続補正１】
【補正対象書類名】特許請求の範囲
【補正対象項目名】全文
【補正方法】変更
【補正の内容】
【特許請求の範囲】
【請求項１】
制御信号と情報信号とを混在させて送受信できる通信制御バスによる双方向通信手段と、
前記双方向通信手段を介して接続されたデジタル映像機器を検出するデジタル映像機器検出手段と、
前記検出されたデジタル映像機器の入出力プラグの論理的チャンネルと仮想的接続する仮想的接続手段と、
前記デジタル映像機器からのストリームデータを、使用するランダムアクセス可能な記録媒体の記録フォーマットに変換するストリーム変換手段と、
前記記録媒体に前記フォーマット変換されたデータを記録する記録手段と、
前記記録手段の動作を制御する記録動作制御手段と、
表示手段に表示される操作画面を生成する操作画面生成手段と、
前記操作画面に基づいた操作を入力する操作手段と、
前記検出されたデジタル映像機器の選択画面を前記表示手段に表示する表示制御手段と、
前記選択画面により所望のデジタル映像機器を選択する選択手段と、
前記仮想的接続手段を介して前記選択されたデジタル映像機器の動作状態の把握と制御を行う仮想的デジタル映像機器制御手段と、
を有し、
前記表示制御手段は、前記仮想的デジタル映像機器制御手段を前記表示手段に表示させ、
前記デジタル映像機器検出手段は、２種類のＡＶ／Ｃコマンドを発信し、前記２種類のＡＶ／Ｃコマンドに対するデジタル映像機器からのレスポンスに基づいて、前記通信制御バスに接続されているデジタル映像機器の中から所望のＤＶ機能を持つデジタル映像機器を検出し、
前記表示制御手段は、検出されたデジタル映像機器に関するＤＶキャプチャー情報であるデジタル映像機器の製造会社名及び機種名を、前記表示手段に表示させる
ことを特徴とするデジタル記録再生装置。
【請求項２】
前記デジタル映像機器検出手段は、２種類のＡＶ／Ｃコマンドを用い、接続された複数のデジタル映像機器がＤＶ機能を有しないという情報を返す機能を有し、
接続された複数のデジタル映像機器がＤＶ機能を有しないときに、デジタル記録再生装置は、接続された前記デジタル映像機器に対する一連のダビング動作を行わない
ことを特徴とする請求の範囲１に記載のデジタル記録再生装置。
【請求項３】
前記デジタル映像機器からのストリームデータをランダムアクセス可能な記録媒体に録画することを指示する専用録画ボタンをさらに有し、
前記記録動作制御手段が、
前記専用録画ボタンにより録画が指示されたときに、前記仮想的デジタル映像機器制御手段を制御して、ＡＶ／Ｃコマンドを用い、デジタル映像機器が撮影モードか再生モードかを判別する機能を備え、ＤＶテープの無記録部を検出する無記録部検出手段を有する
ことを特徴とする請求の範囲１に記載のデジタル記録再生装置。
【請求項４】
前記専用録画ボタンにより録画が指示されたときに、前記仮想的デジタル映像機器制御手段を制御して、ＡＶ／Ｃコマンドを用い、前記選択されたデジタル映像機器のＤＶテープを先頭まで巻き戻させた後に再生を開始させ前記記録手段によるストリームデータの記録を開始させ、テープ終端を検知してデジタル映像機器とデジタル記録再生装置とを共に、停止させて記録する手段を有し、デジタル映像機器をコントロールする手段を有することを特徴とする請求の範囲３に記載のデジタル記録再生装置。
【請求項５】
前記記録媒体にチャプターマークを記録するチャプターマーク記録手段と、
前記選択されたデジタル映像機器のＤＶパケットヘッダー内にあるタイムコードが不連続になっているポイントを検出するタイムコード不連続点検出手段とをさらに有し、
前記タイムコード不連続点検出手段が検出したポイントに対応する前記記録媒体のアドレスにチャプターマークを記録する
ことを特徴とする請求の範囲１に記載のデジタル記録再生装置。
【請求項６】
前記記録動作制御手段が、
前記仮想的デジタル映像機器制御手段を制御して、前記選択されたデジタル映像機器のＤＶテープの全記録時間を取得する全記録時間取得手段と、
前記記録媒体の記録可能な容量を確認する記憶容量確認手段とを有し、
前記専用録画ボタンにより録画が指示されたときに、前記仮想的デジタル映像機器制御手段を制御して、前記選択されたデジタル映像機器のＤＶテープの全記録時間と前記記録媒体の記録可能な容量とを取得して、前記操作画面表示手段に表示させ、前記操作手段による記録開始操作により記録を開始する
ことを特徴とする請求の範囲１に記載のデジタル記録再生装置。
【請求項７】
前記記録動作制御手段が、
前記ＤＶテープの全記録時間を取得する全記録時間取得手段と、
前記ＤＶテープからの再生時間を取得する再生時間取得手段と、
前記ＤＶテープの再生の経過時間と残り時間を切り替えて画面表示する画面表示切替手段とを有し、
前記専用録画ボタンによる切替操作に基づいて、前記ＤＶテープの経過時間と残り時間を切り替えて画面表示させる
ことを特徴とする請求の範囲１に記載のデジタル記録再生装置。
【請求項８】
前記記録媒体にチャプターマークを記録するチャプターマーク記録手段と、
前記選択されたデジタル映像機器のＤＶテープのデータ情報が記録された日付が更新されているポイント又は記録時間が不連続になっているポイントを検出する不連続点検出手段とをさらに有し、
前記不連続点検出手段が検出したポイントに対応する前記記録媒体のアドレスにチャプターマークを記録する
ことを特徴とする請求の範囲１に記載のデジタル記録再生装置。
【請求項９】
前記記録媒体が、ハードディスク又はデジタル多用途ディスクであることを特徴とする請求の範囲１に記載のデジタル記録再生装置。
【請求項１０】
前記通信制御バスが、ＩＥＥＥ１３９４規格の通信制御バスであることを特徴とする請求の範囲１に記載のデジタル記録再生装置。
【請求項１１】
デジタル映像機器からのストリームデータをランダムアクセス可能な記録媒体に録画することを指示する専用録画ボタンが押下されたときに、制御信号と情報信号とを混在させて送受信できる通信制御バスによる双方向通信手段を介して接続されたデジタル映像機器を検出するステップと、
前記検出されたデジタル映像機器の入出力プラグの論理的チャンネルと仮想的接続するステップと、
前記デジタル映像機器からのストリームデータを、使用するランダムアクセス可能な記録媒体の記録フォーマットに変換するステップと、
前記記録媒体に前記フォーマット変換されたデータを記録するステップと
を有し、
前記デジタル映像機器を検出するステップにおいて、２種類のＡＶ／Ｃコマンドを発信し、前記２種類のＡＶ／Ｃコマンドに対するデジタル映像機器からのレスポンスに基づいて、前記通信制御バスに接続されているデジタル映像機器の中から所望のＤＶ機能を持つデジタル映像機器を検出し、
検出されたデジタル映像機器に関するＤＶキャプチャー情報であるデジタル映像機器の製造会社名及び機種名を、表示手段に表示する
ことを特徴とするデジタル記録方法。
【請求項１２】
前記専用録画ボタンにより録画が指示されたときに、前記選択されたデジタル映像機器のＤＶテープを先頭まで巻き戻させた後に再生を開始させると共に、前記記録手段による前記ストリームデータの記録を開始させる
ことを特徴とする請求の範囲１１に記載のデジタル記録方法。
【請求項１３】
前記選択されたデジタル映像機器のＤＶテープの全記録時間を取得するステップと、
前記記録媒体の記録可能な容量を確認するステップと、
前記専用録画ボタンにより録画が指示されたときに、前記選択されたデジタル映像機器のＤＶテープの全記録時間と前記記録媒体の記録可能な容量とを取得して、表示手段に表示するステップと、
ユーザによる記録開始操作により、前記記録媒体に前記フォーマット変換されたデータを記録するステップと
をさらに有することを特徴とする請求の範囲１１に記載のデジタル記録方法。
【請求項１４】
前記選択されたデジタル映像機器のＤＶテープの全記録時間を取得するステップと、
前記記録媒体の記録可能な容量を確認するステップと、
前記全記録時間と前記記録可能な容量により前記選択されたデジタル映像機器のＤＶテープの全記録データを前記記録媒体にすべて記録可能か否かを判定するステップと、
前記専用録画ボタンにより録画が指示されたときに、前記判定が全記録可能であるときに、前記選択されたデジタル映像機器のＤＶテープを先頭まで巻き戻した後に再生を開始させる共に、前記ストリームデータの記録を開始させるステップと
をさらに有することを特徴とする請求の範囲１２に記載のデジタル記録方法。
【請求項１５】
前記ＤＶテープの全記録時間を取得するステップと、
前記ＤＶテープからの再生時間を取得するステップと
をさらに有し、
前記専用録画ボタンによる切替操作に基づいて、前記ＤＶテープの経過時間と残り時間を切り替えて画面表示させる
ことを特徴とする請求の範囲１２に記載のデジタル記録方法。
【請求項１６】
前記選択されたデジタル映像機器のＤＶテープのデータ情報が記録された日付が更新されているポイント又は記録時間が不連続になっているポイントを検出するステップと、
前記検出されたポイントに対応する前記記録媒体のアドレスにチャプターマークを記録するステップと
をさらに有することを特徴とする請求の範囲１１に記載のデジタル記録方法。
【請求項１７】
前記選択されたデジタル映像機器のＤＶパケットヘッダー内にあるタイムコードが不連続になっているポイントを検出するステップと、
前記検出したポイントに対応する前記記録媒体のアドレスにチャプターマークを記録するステップと
をさらに有することを特徴とする請求の範囲１１に記載のデジタル記録方法。
【手続補正書】
【提出日】平成19年9月3日(2007.9.3)
【手続補正１】
【補正対象書類名】特許請求の範囲
【補正対象項目名】全文
【補正方法】変更
【補正の内容】
【特許請求の範囲】
【請求項１】
制御信号と情報信号とを混在させて送受信できる通信制御バスによる双方向通信手段と、
前記双方向通信手段を介して接続されたデジタル映像機器を検出するデジタル映像機器検出手段と、
前記検出されたデジタル映像機器の入出力プラグの論理的チャンネルと仮想的接続する仮想的接続手段と、
前記デジタル映像機器からのストリームデータを、使用するランダムアクセス可能な記録媒体であるＨＤＤ又はＤＶＤの記録フォーマットに変換するストリーム変換手段と、
前記記録媒体に前記フォーマット変換されたデータを記録する記録手段と、
前記記録手段の動作を制御する記録動作制御手段と、
表示手段に表示される操作画面を生成する操作画面生成手段と、
前記操作画面に基づいた操作を入力する操作手段と、
前記検出されたデジタル映像機器の選択画面を前記表示手段に表示する表示制御手段と、
前記選択画面により所望のデジタル映像機器を選択する選択手段と、
前記仮想的接続手段を介して前記選択されたデジタル映像機器の動作状態の把握と制御を行う仮想的デジタル映像機器制御手段と、
を有し、
前記表示制御手段は、前記仮想的デジタル映像機器制御手段を前記表示手段に表示させ、
前記デジタル映像機器検出手段は、２種類のＡＶ／Ｃコマンドを発信し、前記２種類のＡＶ／Ｃコマンドに対するデジタル映像機器からのレスポンスに基づいて、前記通信制御バスに接続されているデジタル映像機器の中から所望のＤＶ機能を持つデジタル映像機器を検出し、
前記表示制御手段は、検出されたデジタル映像機器に関するＤＶキャプチャー情報であるデジタル映像機器の製造会社名及び機種名を、前記表示手段に表示させ、
前記操作手段によって所定の操作を１回行うだけで、前記選択手段は対象となるデジタル映像機器を自動的に選択し、前記仮想的デジタル映像機器制御手段は前記デジタル映像機器の映像音声データが存在する部分からの再生開始と同期を取ってデジタル記録再生装置における記録を開始させ、デジタル記録再生装置における記録媒体に、前記デジタル映像機器であるＤＶカム内のストリームデータが記録されたＤＶテープの先頭から終端まですべての映像音声データを記録させ、前記デジタル映像機器及びキャプチャー先の機器であるデジタル記録再生装置を自動停止させる
ことを特徴とするデジタル記録再生装置。
【請求項２】
前記デジタル映像機器検出手段は、２種類のＡＶ／Ｃコマンドを用い、接続された複数のデジタル映像機器がＤＶ機能を有しないという情報を返す機能を有し、
接続された複数のデジタル映像機器がＤＶ機能を有しないときに、デジタル記録再生装置は、接続された前記デジタル映像機器に対する一連のダビング動作を自動で行わない
ことを特徴とする請求の範囲１に記載のデジタル記録再生装置。
【請求項３】
前記デジタル映像機器であるＤＶカム内のＤＶテープに記録されたストリームデータをランダムアクセス可能な記録媒体に録画することを指示する専用録画ボタンをさらに有し、
前記記録動作制御手段が、
前記専用録画ボタンにより録画が指示されたときに、ＤＶテープを再生することなしに、前記仮想的デジタル映像機器制御手段を制御して、ＡＶ／Ｃコマンドを用い、デジタル映像機器が撮影モードか再生モードかを判別する機能を備えることによってＤＶカムの状態が使用可能であるか否かの状態把握できる機能を備え、ＤＶテープの無記録部を検出する無記録部検出手段を有し、前記無記録部をとばして記録する
ことを特徴とする請求の範囲１に記載のデジタル記録再生装置。
【請求項４】
前記専用録画ボタンにより録画が指示されたときに、前記仮想的デジタル映像機器制御手段を制御して、ＡＶ／Ｃコマンドを用い、前記選択されたデジタル映像機器であるＤＶカム内のストリームデータが記録されているＤＶテープを先頭まで巻き戻させた後に再生走行を開始させ映像音声を出力する通常再生をすることなしに前記記録手段によるストリームデータの記録を開始させ、ＡＶ／Ｃコマンドを用いて、テープ終端を検知してデジタル映像機器とデジタル記録再生装置とを共に、停止させて記録する手段を有し、デジタル映像機器をコントロールする手段を有することを特徴とする請求の範囲３に記載のデジタル記録再生装置。
【請求項５】
前記記録媒体にチャプターマークを記録するチャプターマーク記録手段と、
前記選択されたデジタル映像機器のＤＶパケットヘッダー内にあるタイムコードが不連続になっているポイントを検出するタイムコード不連続点検出手段とをさらに有し、
前記タイムコード不連続点検出手段が検出したポイントに対応する前記記録媒体のアドレスにチャプターマークを記録する
ことを特徴とする請求の範囲１に記載のデジタル記録再生装置。
【請求項６】
前記記録動作制御手段が、
前記仮想的デジタル映像機器制御手段を制御して、前記選択されたデジタル映像機器であるＤＶカム内のＤＶテープに記録されたストリームデータの全記録時間を取得する全記録時間取得手段と、
前記記録媒体の記録可能な容量を確認する記憶容量確認手段であるＧＵＩ画面表示手段を有し、
前記専用録画ボタンにより録画が指示されたときに、前記仮想的デジタル映像機器制御手段を制御して、前記選択されたデジタル映像機器のＤＶテープの全記録時間と前記記録媒体の記録可能な容量とを取得して、前記操作画面表示手段に表示させ、前記操作手段による記録開始操作により記録を開始する
ことを特徴とする請求の範囲１に記載のデジタル記録再生装置。
【請求項７】
前記記録動作制御手段が、
前記ＤＶテープの全記録時間を取得する全記録時間取得手段と、
前記ＤＶテープからの再生時間を取得する再生時間取得手段と、
前記ＤＶテープの再生の経過時間と残り時間を切り替えて画面表示する画面表示切替手段とを有し、
前記専用録画ボタンによる切替操作に基づいて、前記ＤＶテープの経過時間と残り時間を切り替えて画面表示させる
ことを特徴とする請求の範囲１に記載のデジタル記録再生装置。
【請求項８】
前記記録媒体にチャプターマークを記録するチャプターマーク記録手段と、
前記選択されたデジタル映像機器のＤＶテープのデータ情報が記録された日付が更新されているポイント又は記録時間が不連続になっているポイントを検出する不連続点検出手段とをさらに有し、
前記不連続点検出手段が検出したポイントに対応する前記記録媒体のアドレスにチャプターマークを記録する
ことを特徴とする請求の範囲１に記載のデジタル記録再生装置。
【請求項９】
前記通信制御バスが、ＩＥＥＥ１３９４規格の通信制御バスであることを特徴とする請求の範囲１に記載のデジタル記録再生装置。
【請求項１０】
デジタル映像機器からのストリームデータをランダムアクセス可能な記録媒体に録画することを指示する専用録画ボタンが押下されたときに、制御信号と情報信号とを混在させて送受信できる通信制御バスによる双方向通信手段を介して接続されたデジタル映像機器を検出するステップと、
前記検出されたデジタル映像機器の入出力プラグの論理的チャンネルと仮想的接続するステップと、
前記デジタル映像機器からのストリームデータを、使用するランダムアクセス可能な記録媒体であるＨＤＤ又はＤＶＤの記録フォーマットに変換するステップと、
前記記録媒体に前記フォーマット変換されたデータを記録するステップと
を有し、
前記デジタル映像機器を検出するステップにおいて、２種類のＡＶ／Ｃコマンドを発信し、前記２種類のＡＶ／Ｃコマンドに対するデジタル映像機器からのレスポンスに基づいて、前記通信制御バスに接続されているデジタル映像機器の中から所望のＤＶ機能を持つデジタル映像機器を検出し、
検出されたデジタル映像機器に関するＤＶキャプチャー情報であるデジタル映像機器の製造会社名及び機種名を、表示手段に表示させ、
所定の操作を１回行うだけで、対象となるデジタル映像機器を自動的に選択し、前記デジタル映像機器の映像音声データが存在する部分からの再生開始と同期を取ってデジタル記録再生装置における記録を開始し、デジタル記録再生装置における記録媒体に、前記デジタル映像機器であるＤＶカム内のストリームデータが記録されたＤＶテープの先頭から終端まですべての映像音声データを記録し、前記デジタル映像機器及びキャプチャー先の機器であるデジタル記録再生装置を自動停止する
ことを特徴とするデジタル記録方法。
【請求項１１】
前記専用録画ボタンにより録画が指示されたときに、仮想的デジタル映像機器制御手段を制御して、ＡＶ／Ｃコマンドを用い、前記選択されたデジタル映像機器のＤＶテープを先頭まで巻き戻させた後に再生走行を開始させ映像音声を出力する通常再生をすることなしに前記記録手段によるストリームデータの記録を開始させ、ＡＶ／Ｃコマンドを用いて、テープ終端を検知してデジタル映像機器とデジタル記録再生装置とを共に、停止させて記録する手段を有し、デジタル映像機器をコントロールする手段を有する
ことを特徴とする請求の範囲１０に記載のデジタル記録方法。
【請求項１２】
前記選択されたデジタル映像機器のＤＶテープの全記録時間を取得するステップと、
前記記録媒体の記録可能な容量を確認するステップと、
前記専用録画ボタンにより録画が指示されたときに、前記選択されたデジタル映像機器であるＤＶカム内のＤＶテープに記録されたストリームデータの全記録時間と前記記録媒体の記録可能な容量とを取得して、ＧＵＩ画面表示手段に表示するステップと、
ユーザによる記録開始操作により、前記記録媒体に前記フォーマット変換されたデータを記録するステップと
をさらに有することを特徴とする請求の範囲１０に記載のデジタル記録方法。
【請求項１３】
前記選択されたデジタル映像機器のＤＶテープの全記録時間を取得するステップと、
前記記録媒体の記録可能な容量を確認するステップと、
前記全記録時間と前記記録可能な容量により前記選択されたデジタル映像機器のＤＶテープの全記録データを前記記録媒体にすべて記録可能か否かを判定するステップと、
前記専用録画ボタンにより録画が指示されたときに、前記判定が全記録可能であるときに、ＡＶ／Ｃコマンドを用いて、前記選択されたデジタル映像機器のＤＶテープを先頭まで巻き戻した後に映像音声を出力する通常再生をすることなしに再生走行を開始させると共に、ＡＶ／Ｃコマンドを用いて、前記ストリームデータの記録を開始させるステップと
をさらに有することを特徴とする請求の範囲１１に記載のデジタル記録方法。
【請求項１４】
前記ＤＶテープの全記録時間を取得するステップと、
前記ＤＶテープからの再生時間を取得するステップと
をさらに有し、
前記専用録画ボタンによる切替操作に基づいて、前記ＤＶテープの経過時間と残り時間を切り替えて画面表示させる
ことを特徴とする請求の範囲１１に記載のデジタル記録方法。
【請求項１５】
前記選択されたデジタル映像機器のＤＶテープのデータ情報が記録された日付が更新されているポイント又は記録時間が不連続になっているポイントを検出するステップと、
前記検出されたポイントに対応する前記記録媒体のアドレスにチャプターマークを記録するステップと
をさらに有することを特徴とする請求の範囲１０に記載のデジタル記録方法。
【請求項１６】
前記選択されたデジタル映像機器のＤＶパケットヘッダー内にあるタイムコードが不連続になっているポイントを検出するステップと、
前記検出したポイントに対応する前記記録媒体のアドレスにチャプターマークを記録するステップと
をさらに有することを特徴とする請求の範囲１０に記載のデジタル記録方法。
【国際調査報告】
2006087862.tif 000027
2006087862.tif 000028
2006087862.tif 000029
2006087862.tif 000030